(57)【要約】【課題】直流回路が動作状態である場合に、直流回路の接続を変更することなく絶縁抵抗を測定する。【解決手段】絶縁抵抗測定装置は、正極と負極との中性点が大地に接地された直流回路について、前記正極と大地との間に第１の抵抗を接続した状態での前記正極と前記大地との電位差である正極対大地電位差と、前記負極と前記大地との間に第２の抵抗を接続した状態での前記負極と前記大地との電位差である負極対大地電位差とを測定する測定部と、前記測定部が測定した測定結果に基づいて、前記直流回路の絶縁抵抗に関する値を取得する取得部と、を備える。【選択図】図１
2017173263.tif 000002
【特許請求の範囲】
【請求項１】
正極と負極との中性点が大地に接地された直流回路について、前記正極と大地との間に第１の抵抗を接続した状態での前記正極と前記大地との電位差である正極対大地電位差と、前記負極と前記大地との間に第２の抵抗を接続した状態での前記負極と前記大地との電位差である負極対大地電位差とを測定する測定部と、
前記測定部が測定した測定結果に基づいて、前記直流回路の絶縁抵抗に関する値を取得する取得部と、
を備える絶縁抵抗測定装置。
【請求項２】
前記測定部が測定した測定結果である前記正極対大地電位差と、前記負極対大地電位差とのうち、少なくとも１つの値について収束条件を満たすか否かを判定する収束判定部を備え、
前記取得部は、前記収束判定部が、前記測定結果が収束条件を満たすと判定した前記値を用いて前記直流回路の絶縁抵抗に関する値を取得する
請求項１に記載の絶縁抵抗測定装置。
【発明の詳細な説明】
【技術分野】
【０００１】
本発明は、絶縁抵抗測定装置に関する。
【背景技術】
【０００２】
従来、直流回路が動作している状態において、当該直流回路の絶縁抵抗を計測する技術が知られている。
【先行技術文献】
【特許文献】
【０００３】
【特許文献１】特開平７−６３８０１号公報
【発明の概要】
【発明が解決しようとする課題】
【０００４】
しかしながら、従来の技術では、直流回路の絶縁抵抗を計測するために、正極と大地との間又は負極と大地との間に直列に電流計を接続する場合があった。このため、従来の技術では、直流回路の絶縁抵抗を計測するために、動作中の当該直流回路の接続を変更することが必要となる場合があった。ここで、動作中の回路の構成が変更されるとき、変更作業の誤り等の原因によって、当該回路が破損する場合があった。
本発明は、上記の点に鑑みて為されたものであり、直流回路が動作状態である場合に、直流回路の接続を変更することなく絶縁抵抗を測定する絶縁抵抗測定装置を提供することを目的とする。
【課題を解決するための手段】
【０００５】
本発明の一態様は、正極と負極との中性点が大地に接地された直流回路について、前記正極と大地との間に第１の抵抗を接続した状態での前記正極と前記大地との電位差である正極対大地電位差と、前記負極と前記大地との間に第２の抵抗を接続した状態での前記負極と前記大地との電位差である負極対大地電位差とを測定する測定部と、前記測定部が測定した測定結果に基づいて、前記直流回路の絶縁抵抗に関する値を取得する取得部と、を備える絶縁抵抗測定装置である。
【０００６】
本発明の一態様の絶縁抵抗測定装置において、前記測定部が測定した測定結果である前記正極対大地電位差と、前記負極対大地電位差とのうち、少なくとも１つの値について収束条件を満たすか否かを判定する収束判定部を備え、前記取得部は、前記収束判定部が、前記測定結果が収束条件を満たすと判定した前記値を用いて前記直流回路の絶縁抵抗に関する値を取得する。
【発明の効果】
【０００７】
本発明によれば、直流回路が動作状態である場合に、直流回路の接続を変更することなく絶縁抵抗を測定する絶縁抵抗測定装置を提供することができる。
【図面の簡単な説明】
【０００８】
【図１】第１実施形態の直流回路の構成の一例を示す図である。
【図２】第１実施形態の直流回路と絶縁抵抗測定装置との接続の一例を示す図である。
【図３】第１実施形態の絶縁抵抗測定装置の構成の一例を示す図である。
【図４】第１実施形態の直流回路の概要を示す第１の図である。
【図５】第１実施形態の直流回路の概要を示す第２の図である。
【図６】第１実施形態の直流回路の概要を示す第３の図である。
【図７】第１実施形態の絶縁抵抗測定装置の動作の一例を示す流れ図である。
【図８】第２実施形態の絶縁抵抗測定装置の構成の一例を示す図である。
【図９】第２実施形態の正極抵抗電位差の時間推移の一例を示すグラフである。
【図１０】第３実施形態の絶縁抵抗測定装置の構成の一例を示す図である。
【図１１】変形例１の絶縁抵抗測定装置の構成の一例を示す図である。
【図１２】変形例１の取得情報の一例を表す表を示す図である。
【図１３】変形例２の絶縁抵抗測定装置の構成の一例を示す図である。
【発明を実施するための形態】
【０００９】
［第１実施形態：直流回路の構成の説明について］
以下、図を参照して本実施形態の絶縁抵抗測定装置１が絶縁抵抗を測定する測定対象の直流回路の構成について説明する。
図１は、第１実施形態の直流回路ＤＣＣの構成の一例を示す図である。
本実施形態の直流回路ＤＣＣは、交直変換器ＢＣが供給する直流電圧によって動作する回路である。交直変換器ＢＣは、交直変換器ＢＣに供給される交流電力を直流電力に変換する装置である。
具体的には、図１に示す通り、交直変換器ＢＣの正極端子とバスＢＳの正極ＢＳＰとが接続される。また、交直変換器ＢＣの負極端子とバスＢＳの負極ＢＳＮとが接続される。
以降の記載において、直流回路ＤＣＣの正極を正極ＢＳＰとも記載する。また、直流回路ＤＣＣの負極を負極ＢＳＮとも記載する。
【００１０】
また、バスＢＳには、蓄電池ＢＴＴが接続される。交直変換器ＢＣがバスＢＳを介して電力を供給する通常状態の場合、蓄電池ＢＴＴは、交直変換器ＢＣから供給される電力を蓄電する。また、災害等によって交直変換器ＢＣからの電力の供給が絶たれた場合、蓄電池ＢＴＴは、蓄電池ＢＴＴに蓄電された電力を放電することにより、バスＢＳに直流電圧を供給する。
【００１１】
バスＢＳには複数の回路が接続される。複数の回路には、交直変換器ＢＣ又は蓄電池ＢＴＴからバスＢＳを介して直流電圧が供給される。
具体的には、図１に示す通り、バスＢＳには、回路Ｃ１、回路Ｃ２、…、回路Ｃｎが接続される。ｎは、２以上の整数である。以降の記載において、回路Ｃ１、回路Ｃ２、…、回路Ｃｎを区別しない場合には、総称して回路Ｃと記載する。回路Ｃ１、回路Ｃ２及び回路ＣｎとバスＢＳは、開閉器ＪＢを介して接続される。開閉器ＪＢは、例えば、交直変換器ＢＣ又は蓄電池ＢＴＴからバスＢＳを介して回路Ｃへ流入する過電流を遮断するブレーカーである。
【００１２】
具体的には、回路Ｃ１の正極端子とバスＢＳの正極ＢＳＰは、開閉器ＪＢＣ１Ｐを介して接続される。また、回路Ｃ１の負極端子とバスＢＳの負極ＢＳＮは、開閉器ＪＢＣ１Ｎを介して接続される。また、回路Ｃ２の正極端子とバスＢＳの正極ＢＳＰは、開閉器ＪＢＣ２Ｐを介して接続される。また、回路Ｃ２の負極端子とバスＢＳの負極ＢＳＮは、開閉器ＪＢＣ２Ｎを介して接続される。また、回路Ｃｎの正極端子とバスＢＳの正極ＢＳＰは、開閉器ＪＢＣｎＰを介して接続される。また、回路Ｃｎの負極端子とバスＢＳの負極ＢＳＮは、開閉器ＪＢＣｎＮを介して接続される。以降の記載において、開閉器ＪＢＣ１Ｐ、開閉器ＪＢＣ１Ｎ、開閉器ＪＢＣ２Ｐ、開閉器ＪＢＣ２Ｎ、開閉器ＪＢＣｎＰ及び開閉器ＪＢＣｎＮを区別しない場合には、総称して開閉器ＪＢと記載する。
これにより、回路Ｃには、交直変換器ＢＣ又は蓄電池ＢＴＴからバスＢＳを介して直流電圧が供給される。回路Ｃは、交直変換器ＢＣ又は蓄電池ＢＴＴからバスＢＳを介して供給される直流電圧によって動作する。
【００１３】
なお、上述ではバスＢＳに接続される回路Ｃが複数の回路Ｃである場合について説明したが、これに限られない。バスＢＳに接続される回路Ｃは、１つであってもよく、複数であってもよい。
【００１４】
以降の記載において、交直変換器ＢＣ又は蓄電池ＢＴＴが供給する直流電圧の正極と負極との電位差を正極対負極電位差ＶＰＮと記載する。つまり、バスＢＳの正極ＢＳＰと負極ＢＳＮとの電位差は、正極対負極電位差ＶＰＮである。ここで、正極対負極電位差ＶＰＮとは、例えば、１１０Ｖである。
【００１５】
［直流地絡故障継電器の構成について］
バスＢＳの正極ＢＳＰと負極ＢＳＮとには、直流地絡故障継電器６４Ｄが接続される。直流地絡故障継電器６４Ｄは、直流回路ＤＣＣの絶縁抵抗が所定の値に低下した場合、警報を発報する装置である。
直流地絡故障継電器６４Ｄは、分圧抵抗Ｒｄ１と分圧抵抗Ｒｄ２と接地抵抗Ｒｅとを備える。
【００１６】
分圧抵抗Ｒｄ１と分圧抵抗Ｒｄ２とは、バスＢＳの正極ＢＳＰと負極ＢＳＮとの間に直列に接続されている。バスＢＳの正極ＢＳＰと負極ＢＳＮとの電位差である正極対負極電位差ＶＰＮは、分圧抵抗Ｒｄ１と分圧抵抗Ｒｄ２とによって分圧される。分圧抵抗Ｒｄ１と分圧抵抗Ｒｄ２の接続点における電圧値は、分圧抵抗Ｒｄ１と分圧抵抗Ｒｄ２との抵抗値の比によって決定される。以降の記載において、分圧抵抗Ｒｄ１と分圧抵抗Ｒｄ２との接続点を中性点ＣＰと記載する。
【００１７】
分圧抵抗Ｒｄ１と分圧抵抗Ｒｄ２とは、同一の抵抗値である。例えば、分圧抵抗Ｒｄ１及び分圧抵抗Ｒｄ２は、いずれも２ｋΩである。これにより、正極対負極電位差ＶＰＮは、分圧抵抗Ｒｄ１と分圧抵抗Ｒｄ２とによって１：１に分圧される。正極ＢＳＰと中性点ＣＰとの電位差と、負極ＢＳＮと中性点ＣＰとの電位差は、同一の電位差である。つまり、正極対負極電位差ＶＰＮは、中性点ＣＰから正極ＢＳＰ側と中性点ＣＰから負極ＢＳＮ側とにおいて１／２に分圧される。
【００１８】
また、中性点ＣＰは、接地抵抗ＲｅとテストターミナルＴＴとを介して接地される。接地抵抗Ｒｅは、例えば、１０ｋΩの抵抗である。また、テストターミナルＴＴは、直流回路ＤＣＣの制御機器や電路の試験測定を行うために、中性点ＣＰと大地Ｇとの接続及び切断を行う端子である。具体的には、テストターミナルＴＴは、当該テストターミナルＴＴにテストプラグＴＰＧを挿入することにより、中性点ＣＰと大地Ｇとを切断することができる。
中性点ＣＰは、接地抵抗Ｒｅを介して大地Ｇに高抵抗接地される。すなわち、直流回路ＤＣＣは、交直変換器ＢＣ及び蓄電池ＢＴＴの負極端子を接地しない非接地回路である。
【００１９】
上述したように、正極対負極電位差ＶＰＮは、１１０Ｖである。交直変換器ＢＣ及び蓄電池ＢＴＴは、正極対負極電位差ＶＰＮが１１０Ｖの直流電圧を、バスＢＳを介して回路Ｃに供給する。また、中性点ＣＰを基準とした場合の正極ＢＳＰの電圧値は、＋５５Ｖである。また、中性点ＣＰを基準とした場合の負極ＢＳＮの電圧値は、−５５Ｖである。
【００２０】
［直流回路の絶縁抵抗について］
直流回路ＤＣＣが上述した構成である場合、直流回路ＤＣＣの絶縁抵抗は、回路Ｃの電路と大地Ｇとの間における抵抗と、バスＢＳの電路と大地Ｇとの間における抵抗との合成抵抗である。
【００２１】
回路Ｃの絶縁抵抗は、回路Ｃの電路と大地Ｇとの間における抵抗である。具体的には、回路Ｃ１の電路と大地Ｇとの間における抵抗は、回路Ｃ１の正極端子と大地Ｇとの間の回路正極絶縁抵抗ＲＰＣ１と、回路Ｃ１の負極端子と大地Ｇとの間の回路負極絶縁抵抗ＲＮＣ１とである。また、回路Ｃ２の電路と大地Ｇとの間における抵抗は、回路Ｃ２の正極端子と大地Ｇとの間の回路正極絶縁抵抗ＲＰＣ２と、回路Ｃ２の負極端子と大地Ｇとの間の回路負極絶縁抵抗ＲＮＣ２である。また、回路Ｃｎの電路と大地Ｇとの間における抵抗は、回路Ｃｎの正極端子と大地Ｇとの間の回路正極絶縁抵抗ＲＰＣｎと、回路Ｃｎの負極端子と大地Ｇとの間の回路負極絶縁抵抗ＲＮＣｎとである。
以降の記載において、回路正極絶縁抵抗ＲＰＣ１、回路正極絶縁抵抗ＲＰＣ２及び回路正極絶縁抵抗ＲＰＣｎを区別しない場合には、回路正極絶縁抵抗ＲＰＣと記載する。また、以降の記載において、回路負極絶縁抵抗ＲＮＣ１、回路負極絶縁抵抗ＲＮＣ２及び回路負極絶縁抵抗ＲＮＣｎを区別しない場合には、回路負極絶縁抵抗ＲＮＣと記載する。
【００２２】
また、バスＢＳの絶縁抵抗は、バスＢＳの電路と大地Ｇとの間における抵抗である。
具体的には、バスＢＳの電路と大地Ｇとの間における抵抗は、バスＢＳの正極ＢＳＰと大地Ｇとの間のバス正極絶縁抵抗ＲＰＢＳと、バスＢＳの負極ＢＳＮと大地Ｇとの間のバス負極絶縁抵抗ＲＮＢＳとである。
【００２３】
したがって、直流回路ＤＣＣの正極端子と大地Ｇとの間の絶縁抵抗は、回路正極絶縁抵抗ＲＰＣとバス正極絶縁抵抗ＲＰＢＳとの合成抵抗である正極絶縁抵抗ＲＰである。また、直流回路ＤＣＣの負極端子と大地Ｇとの間の絶縁抵抗は、回路負極絶縁抵抗ＲＮＣとバス負極絶縁抵抗ＲＮＢＳとの合成抵抗である負極絶縁抵抗ＲＮである。
以降の記載において、直流回路ＤＣＣの正極絶縁抵抗ＲＰと、負極絶縁抵抗ＲＮとを区別しない場合には、直流回路ＤＣＣの絶縁抵抗Ｒと記載する。つまり、直流回路ＤＣＣの絶縁抵抗Ｒは、正極絶縁抵抗ＲＰと負極絶縁抵抗ＲＮとである。
直流回路ＤＣＣが直流回路ＤＣＣに劣化等が生じていない通常状態の場合、絶縁抵抗Ｒは、数ＭΩから数百ＭΩ程度の抵抗値である。したがって、直流回路ＤＣＣに劣化等が生じていない通常状態である場合、分圧抵抗Ｒｄ１及び分圧抵抗Ｒｄ２と絶縁抵抗Ｒとでは、絶縁抵抗Ｒの方が十分に大きい抵抗値である。また、接地抵抗Ｒｅと絶縁抵抗Ｒとでは、絶縁抵抗Ｒの方が十分に大きい抵抗値である。
【００２４】
［直流回路の絶縁抵抗の低下について］
ここで、直流回路ＤＣＣの劣化等、何らかの不具合により、絶縁抵抗Ｒが低下する場合がある。絶縁抵抗Ｒの抵抗値が低下する場合、正極ＢＳＰと中性点ＣＰとの電位差と、負極ＢＳＮと中性点ＣＰとの電位差とは、１：１のバランスが変化する。本例の場合、直流回路ＤＣＣにおいて、中性点ＣＰを基準とした場合の正極ＢＳＰの電圧値である５５Ｖと、中性点ＣＰを基準とした場合の負極ＢＳＮの電圧値である−５５Ｖとのバランスが変化する。具体的には、正極絶縁抵抗ＲＰが劣化している場合、中性点ＣＰを基準とした場合の正極ＢＳＰの電圧値が低下し、中性点ＣＰを基準とした場合の負極ＢＳＮの電圧値が上昇する。同様に、負極絶縁抵抗ＲＮが劣化している場合、中性点ＣＰを基準とした場合の正極ＢＳＰの電圧値が上昇し、中性点ＣＰを基準とした場合の負極ＢＳＮの電圧値が低下する。
直流回路ＤＣＣの絶縁抵抗Ｒが低下した状態を放置した場合、直流回路ＤＣＣが絶縁破壊を起こすことに伴い、故障や焼損などが生じる場合がある。
したがって、直流回路ＤＣＣの絶縁破壊を未然に防ぐためには、直流回路ＤＣＣの絶縁抵抗Ｒを定量的に測定し、管理することが効果的である。
以下、本実施形態の絶縁抵抗測定装置１が直流回路ＤＣＣの絶縁抵抗Ｒを測定する構成について説明する。
【００２５】
［直流回路と絶縁抵抗測定装置との接続について］
以下、図を参照して直流回路ＤＣＣと絶縁抵抗測定装置１との接続について説明する。
図２は、第１実施形態の直流回路ＤＣＣと絶縁抵抗測定装置１との接続の一例を示す図である。
図２に示す通り、絶縁抵抗測定装置１は、直流回路ＤＣＣが備える端子台ＴＢに接続される。端子台ＴＢは、正極端子ＴＰと負極端子ＴＮとアース端子ＴＥとを備える。正極端子ＴＰには、正極ＢＳＰが接続される。また、負極端子ＴＮには、負極ＢＳＮが接続される。また、アース端子ＴＥは、大地Ｇに接地される。したがって、絶縁抵抗測定装置１には、正極ＢＳＰと負極ＢＳＮと大地Ｇとが端子台ＴＢを介して接続される。
絶縁抵抗測定装置１は、持ち運び可能な装置である。絶縁抵抗測定装置１は、直流回路ＤＣＣが設置されている機器室等を巡回する絶縁抵抗Ｒの測定者によって使用される。絶縁抵抗測定装置１は、測定者によって直流回路ＤＣＣが備える端子台ＴＢを介して直流回路ＤＣＣに接続される。
絶縁抵抗測定装置１が直流回路ＤＣＣの絶縁抵抗Ｒを測定する際、テストターミナルＴＴの接続は変更される。具体的には、絶縁抵抗測定装置１が直流回路ＤＣＣの絶縁抵抗Ｒを測定する際、テストターミナルＴＴにテストプラグＴＰＧが挿入されることにより、中性点ＣＰと大地Ｇとは、切断される。
【００２６】
なお、上述では、絶縁抵抗測定装置１は、持ち運び可能な装置であって、直流回路ＤＣＣの絶縁抵抗Ｒを測定する測定者が測定の際に直流回路ＤＣＣに接続される装置である場合について説明したが、これに限れない。絶縁抵抗測定装置１は、直流回路ＤＣＣが設置される機器室等に常設されてもよい。この場合、絶縁抵抗測定装置１は、直流回路ＤＣＣの絶縁抵抗Ｒに関する絶縁抵抗Ｒを常時又は定期的に測定していてもよい。
【００２７】
［絶縁抵抗測定装置の構成について］
以下、図３を参照して絶縁抵抗測定装置１の構成について説明する。
図３は、第１実施形態の絶縁抵抗測定装置１の構成の一例を示す図である。
図３に示す通り、絶縁抵抗測定装置１は、制御部１００と、測定部１５０と、第１正極側開閉器ＳＰ１と、第１負極側開閉器ＳＮ１と、挿入正極抵抗ＲＩＰと、挿入負極抵抗ＲＩＮと、開始情報入力部１６０とを備える。
【００２８】
開始情報入力部１６０は、制御部１００に接続される。開始情報入力部１６０は、絶縁抵抗Ｒの測定開始を示す開始情報ＳＩを制御部１００に出力する。開始情報入力部１６０は、例えば、スイッチである。具体的には、開始情報入力部１６０が直流回路ＤＣＣの絶縁抵抗Ｒの測定者によって押下された場合、開始情報入力部１６０は、制御部１００に開始情報ＳＩを出力する。
【００２９】
正極端子ＴＰは、第１正極側開閉器ＳＰ１を介して測定部１５０に接続される。また、負極端子ＴＮは、第１負極側開閉器ＳＮ１を介して測定部１５０に接続される。第１正極側開閉器ＳＰ１及び第１負極側開閉器ＳＮ１は、例えば、継電器である。アース端子ＴＥは、測定部１５０に接続される。第１正極側開閉器ＳＰ１及び第１負極側開閉器ＳＮ１の開閉は、制御部１００によって制御される。
【００３０】
挿入正極抵抗ＲＩＰ及び挿入負極抵抗ＲＩＮは、抵抗値が既知の抵抗である。また、挿入正極抵抗ＲＩＰ及び挿入負極抵抗ＲＩＮは、電圧を測定するために用いられる抵抗である。挿入正極抵抗ＲＩＰ及び挿入負極抵抗ＲＩＮは、絶縁抵抗測定装置１が直流回路ＤＣＣの絶縁抵抗Ｒの値を取得する際に、電圧を測定することが求められる箇所の電圧を測定するために用いられる。
以降の記載において、正極ＢＳＰの電位と、大地Ｇの電位との電位差を正極対大地電位差ＶＰと記載する。また、負極ＢＳＮの電位と、大地Ｇの電位との電位差を負極対大地電位差ＶＮと記載する。
挿入正極抵抗ＲＩＰは、正極対大地電位差ＶＰを測定する際に用いられる。また、挿入負極抵抗ＲＩＮは、負極対大地電位差ＶＮを測定する際に用いられる。
以降の記載において、挿入正極抵抗ＲＩＰを第１の抵抗とも記載する。また、挿入負極抵抗ＲＩＮを第２の抵抗とも記載する。
また、以降の記載において、挿入正極抵抗ＲＩＰと挿入負極抵抗ＲＩＮを区別しない場合には、挿入抵抗ＲＩと記載する。
【００３１】
挿入正極抵抗ＲＩＰは、大地Ｇと接続される。また、挿入正極抵抗ＲＩＰは、第１正極側開閉器ＳＰ１を介して正極ＢＳＰと接続される。
具体的には、挿入正極抵抗ＲＩＰは、端子ｔＩＰ１と端子ｔＩＰ２との２つの端子を備える。挿入正極抵抗ＲＩＰの端子ｔＩＰ１と第１正極側開閉器ＳＰ１と測定部１５０とは接続される。また、挿入正極抵抗ＲＩＰの端子ｔＩＰ２とアース端子ＴＥとは、接続される。
また、挿入負極抵抗ＲＩＮは、大地Ｇと接続される。また、挿入正極抵抗ＲＩＰは、第１負極側開閉器ＳＮ１を介して負極ＢＳＮと接続される。
具体的には、挿入負極抵抗ＲＩＮは、端子ｔＩＮ１と端子ｔＩＮ２との２つの端子を備える。挿入負極抵抗ＲＩＮの端子ｔＩＮ１と第１負極側開閉器ＳＮ１と測定部１５０とは、接続される。また、挿入負極抵抗ＲＩＮの端子ｔＩＮ２とアース端子ＴＥとは、接続される。
【００３２】
挿入正極抵抗ＲＩＰと挿入負極抵抗ＲＩＮとは、同一の抵抗値である。挿入正極抵抗ＲＩＰと挿入負極抵抗ＲＩＮとは、例えば、２ＭΩである。
なお、挿入正極抵抗ＲＩＰと挿入負極抵抗ＲＩＮとは、２ＭΩ以外の抵抗値であってもよい。具体的には、挿入正極抵抗ＲＩＰと挿入負極抵抗ＲＩＮとは、直流回路ＤＣＣの絶縁抵抗Ｒの良否を判定するしきい値である抵抗値であってもよい。
【００３３】
測定部１５０は、正極端子ＴＰとアース端子ＴＥとの間に挿入正極抵抗ＲＩＰが接続される際の、正極対大地電位差ＶＰを正極抵抗電位差ＲＶＰとして測定する。また、測定部１５０は、負極端子ＴＮとアース端子ＴＥとの間に挿入負極抵抗ＲＩＮが接続される際の、負極対大地電位差ＶＮを負極抵抗電位差ＲＶＮとして測定する。
測定部１５０は、測定した正極抵抗電位差ＲＶＰ及び負極抵抗電位差ＲＶＮを取得部１１０へ出力する。
【００３４】
測定部１５０は、例えば、アナログ・デジタル変換回路である。測定部１５０は、正極端子ＴＰ及び負極端子ＴＮとアース端子ＴＥとの電位差を測定し、測定した測定結果を示すデジタル信号に変換して制御部１００へ出力する。
【００３５】
制御部１００は、ＣＰＵ（Ｃｅｎｔｒａｌ  Ｐｒｏｃｅｓｓｉｎｇ  Ｕｎｉｔ）を備えており、取得部１１０をその機能部として備える。
取得部１１０は、開始情報入力部１６０から開始情報ＳＩが入力されたことに応じて、処理を開始する。具体的には、取得部１１０は、開始情報ＳＩが入力されたことに応じて、第１正極側開閉器ＳＰ１及び第１負極側開閉器ＳＮ１の開閉を制御する。
取得部１１０は、第１正極側開閉器ＳＰ１の開閉を制御する正極側開閉制御信号ＳＰＳを第１正極側開閉器ＳＰ１に出力する。第１正極側開閉器ＳＰ１は、取得部１１０から入力される正極側開閉制御信号ＳＰＳに基づいて、その開閉が制御される。
また、取得部１１０は、第１負極側開閉器ＳＮ１の開閉を制御する負極側開閉制御信号ＳＮＳを第１負極側開閉器ＳＮ１に出力する。第１負極側開閉器ＳＮ１は、取得部１１０から入力される負極側開閉制御信号ＳＮＳに基づいて、その開閉が制御される。
【００３６】
取得部１１０には、測定部１５０から第１正極側開閉器ＳＰ１及び第１負極側開閉器ＳＮ１の開閉に応じて、正極抵抗電位差ＲＶＰ及び負極抵抗電位差ＲＶＮが入力される。取得部１１０は、正極抵抗電位差ＲＶＰ及び負極抵抗電位差ＲＶＮに基づいて、直流回路ＤＣＣの絶縁抵抗Ｒに関する値を取得する。絶縁抵抗Ｒに関する値とは、測定部１５０から入力される正極抵抗電位差ＲＶＰと負極抵抗電位差ＲＶＮと、取得部１１０が算出し、取得する正極対負極電位差ＶＰＮと正極絶縁抵抗ＲＰの値と負極絶縁抵抗ＲＮの値とである。
以下、取得部１１０に測定部１５０から正極抵抗電位差ＲＶＰ、負極抵抗電位差ＲＶＮ及び正極対負極電位差ＶＰＮが入力される詳細について説明する。
【００３７】
［正極抵抗電位差の入力について］
以下、取得部１１０に測定部１５０から正極抵抗電位差ＲＶＰが入力される場合について説明する。
【００３８】
取得部１１０は、第１正極側開閉器ＳＰ１を閉状態に制御し、第１負極側開閉器ＳＮ１を開状態に制御する。具体的には、取得部１１０は、第１正極側開閉器ＳＰ１を閉状態に制御する正極側開閉制御信号ＳＰＳを出力する。また、取得部１１０は、第１負極側開閉器ＳＮ１を開状態に制御する負極側開閉制御信号ＳＮＳを出力する。
第１正極側開閉器ＳＰ１は、閉状態に制御され、第１負極側開閉器ＳＮ１は、開状態に制御される。この場合、正極端子ＴＰとアース端子ＴＥとの間に挿入正極抵抗ＲＩＰが接続される。
【００３９】
以降の記載において、第１正極側開閉器ＳＰ１が閉状態に制御され、第１負極側開閉器ＳＮ１が開状態に制御される状態を第１状態と記載する。第１正極側開閉器ＳＰ１及び第１負極側開閉器ＳＮ１が第１状態に制御される場合、正極端子ＴＰとアース端子ＴＥとの間に挿入正極抵抗ＲＩＰが正極絶縁抵抗ＲＰと並列に接続される。
測定部１５０は、第１正極側開閉器ＳＰ１及び第１負極側開閉器ＳＮ１が第１状態に制御されることに応じて、正極絶縁抵抗ＲＰと並列に接続された挿入正極抵抗ＲＩＰに印加される正極抵抗電位差ＲＶＰを測定する。測定部１５０は、測定した正極抵抗電位差ＲＶＰを取得部１１０に出力する。
【００４０】
以下、図４を参照して正極抵抗電位差ＲＶＰの概要について説明する。
図４は、第１実施形態の直流回路ＤＣＣの概要を示す第１の図である。具体的には、図４は、第１正極側開閉器ＳＰ１及び第１負極側開閉器ＳＮ１が第１状態に制御された場合の直流回路ＤＣＣを示す図である。
上述したように、第１正極側開閉器ＳＰ１及び第１負極側開閉器ＳＮ１が第１状態に制御されることにより、正極端子ＴＰとアース端子ＴＥとの間には、挿入正極抵抗ＲＩＰが接続される。
測定部１５０は、第１正極側開閉器ＳＰ１及び第１負極側開閉器ＳＮ１が第１状態に制御されることに応じて、正極抵抗電位差ＲＶＰを取得部１１０に出力する。取得部１１０には、測定部１５０から正極抵抗電位差ＲＶＰが入力される。
【００４１】
［負極抵抗電位差の入力について］
以下、取得部１１０に測定部１５０から負極抵抗電位差ＲＶＮが入力される場合について説明する。
図３に戻り、取得部１１０は、第１負極側開閉器ＳＮ１を閉状態に制御し、第１正極側開閉器ＳＰ１を開状態に制御する。具体的には、取得部１１０は、第１負極側開閉器ＳＮ１を閉状態に制御する負極側開閉制御信号ＳＮＳを出力する。また、取得部１１０は、第１正極側開閉器ＳＰ１を開状態に制御する正極側開閉制御信号ＳＰＳを出力する。
第１正極側開閉器ＳＰ１は、開状態に制御され、第１負極側開閉器ＳＮ１は、閉状態に制御される。この場合、負極端子ＴＮとアース端子ＴＥとの間に挿入負極抵抗ＲＩＮが接続される。
【００４２】
以降の記載において、第１正極側開閉器ＳＰ１が開状態に制御され、第１負極側開閉器ＳＮ１が閉状態に制御される状態を第２状態と記載する。第１正極側開閉器ＳＰ１及び第１負極側開閉器ＳＮ１が第２状態に制御される場合、負極端子ＴＮとアース端子ＴＥとの間に挿入負極抵抗ＲＩＮが負極絶縁抵抗ＲＮと並列に接続される。
測定部１５０は、第１正極側開閉器ＳＰ１及び第１負極側開閉器ＳＮ１が第２状態に制御されることに応じて、負極絶縁抵抗ＲＮと並列に接続された挿入負極抵抗ＲＩＮに印加される負極抵抗電位差ＲＶＮを測定する。測定部１５０は、測定した負極抵抗電位差ＲＶＮを取得部１１０に出力する。
【００４３】
以下、図５を参照して負極抵抗電位差ＲＶＮの概要について説明する。
図５は、第１実施形態の直流回路ＤＣＣの概要を示す第２の図である。具体的には、図５は、第１正極側開閉器ＳＰ１及び第１負極側開閉器ＳＮ１が第２状態に制御された場合の直流回路ＤＣＣを示す図である。
上述したように、第１正極側開閉器ＳＰ１及び第１負極側開閉器ＳＮ１が第２状態に制御されることにより、負極端子ＴＮとアース端子ＴＥとの間には、挿入負極抵抗ＲＩＮが接続される。
測定部１５０は、第１正極側開閉器ＳＰ１及び第１負極側開閉器ＳＮ１が第２状態に制御されることに応じて、負極抵抗電位差ＲＶＮを取得部１１０に出力する。取得部１１０には、測定部１５０から負極抵抗電位差ＲＶＮが入力される。
【００４４】
［正極対負極電位差の取得について］
以下、取得部１１０が測定部１５０からの入力に基づいて正極対負極電位差ＶＰＮを算出し、取得する場合について説明する。
図３に戻り、取得部１１０は、第１正極側開閉器ＳＰ１を閉状態に制御し、第１負極側開閉器ＳＮ１を閉状態に制御する。具体的には、取得部１１０は、第１正極側開閉器ＳＰ１を閉状態に制御する正極側開閉制御信号ＳＰＳを出力する。また、取得部１１０は、第１負極側開閉器ＳＮ１を閉状態に制御する負極側開閉制御信号ＳＮＳを出力する。
これにより、第１正極側開閉器ＳＰ１は、閉状態に制御され、第１負極側開閉器ＳＮ１は、閉状態に制御される。この場合、正極端子ＴＰとアース端子ＴＥとの間に挿入正極抵抗ＲＩＰが接続される。また、この場合、負極端子ＴＮとアース端子ＴＥとの間に挿入負極抵抗ＲＩＮが接続される。
【００４５】
以降の記載において、第１正極側開閉器ＳＰ１が閉状態に制御され、第１負極側開閉器ＳＮ１が閉状態に制御される状態を第３状態と記載する。つまり、第１正極側開閉器ＳＰ１及び第１負極側開閉器ＳＮ１が第３状態に制御される場合、正極端子ＴＰとアース端子ＴＥとの間に挿入正極抵抗ＲＩＰが接続され、負極端子ＴＮとアース端子ＴＥとの間に挿入負極抵抗ＲＩＮが接続される。
【００４６】
以下、図６を参照して正極対負極電位差ＶＰＮの概要について説明する。
図６は、第１実施形態の直流回路ＤＣＣの概要を示す第３の図である。具体的には、図３は、第１正極側開閉器ＳＰ１及び第１負極側開閉器ＳＮ１が第３状態に制御された場合の直流回路ＤＣＣを示す図である。
上述したように、第１正極側開閉器ＳＰ１及び第１負極側開閉器ＳＮ１が第３状態に制御されることにより、正極端子ＴＰとアース端子ＴＥとの間には、挿入正極抵抗ＲＩＰが接続される。また、第１正極側開閉器ＳＰ１及び第１負極側開閉器ＳＮ１が第３状態に制御されることにより、負極端子ＴＮとアース端子ＴＥとの間には、挿入負極抵抗ＲＩＮが接続される。
測定部１５０は、第１正極側開閉器ＳＰ１及び第１負極側開閉器ＳＮ１が第３状態に制御されることに応じて、取得部１１０に正極抵抗電位差ＲＶＰと負極抵抗電位差ＲＶＮとを出力する。取得部１１０には、測定部１５０から正極抵抗電位差ＲＶＰと負極抵抗電位差ＲＶＮとが入力される。取得部１１０は、入力された正極抵抗電位差ＲＶＰと負極抵抗電位差ＲＶＮとに基づいて、正極抵抗電位差ＲＶＰと負極抵抗電位差ＲＶＮとの和を算出する。取得部１１０は、正極抵抗電位差ＲＶＰと負極抵抗電位差ＲＶＮとの和を、正極対負極電位差ＶＰＮを示す値として取得する。
【００４７】
取得部１１０は、取得した第１状態における正極抵抗電位差ＲＶＰと、第２状態における負極抵抗電位差ＲＶＮと、第３状態における正極対負極電位差ＶＰＮとに基づいて、絶縁抵抗Ｒを取得する。
以下、取得部１１０が絶縁抵抗Ｒの値を取得する構成について説明する。
【００４８】
［絶縁抵抗の取得について］
上述したように、取得部１１０は、測定部１５０から入力された第１状態における正極抵抗電位差ＲＶＰと、第２状態における負極抵抗電位差ＲＶＮと、第３状態における正極対負極電位差ＶＰＮとに基づいて、直流回路ＤＣＣの絶縁抵抗Ｒを取得する。具体的には、取得部１１０は、第１状態における正極抵抗電位差ＲＶＰ、第２状態における負極抵抗電位差ＲＶＮ及び第３状態における正極対負極電位差ＶＰＮに基づいて、直流回路ＤＣＣの正極ＢＳＰ側の絶縁抵抗Ｒである正極絶縁抵抗ＲＰの値を取得する。また、取得部１１０は、第１状態における正極抵抗電位差ＲＶＰ、第２状態における負極抵抗電位差ＲＶＮ及び第３状態における正極対負極電位差ＶＰＮに基づいて、直流回路ＤＣＣの負極ＢＳＮ側の絶縁抵抗Ｒである負極絶縁抵抗ＲＮの値を取得する。
【００４９】
以降の記載において、第３状態における正極対負極電位差ＶＰＮの電圧値をＶｐｎと記載する。また、第１状態における正極抵抗電位差ＲＶＰの電圧値をＶｐと記載する。また、第２状態における負極抵抗電位差ＲＶＮの電圧値をＶｎと記載する。また、正極絶縁抵抗ＲＰの値をＲｐと記載する。また、負極絶縁抵抗ＲＮの値をＲｎと記載する。
また、上述したように、挿入正極抵抗ＲＩＰと挿入負極抵抗ＲＩＮとは、同一の抵抗値である。以降の記載において、挿入正極抵抗ＲＩＰ及び挿入負極抵抗ＲＩＮとの抵抗値をＲと記載する。
【００５０】
ＲｐとＶｐとＶｎとＶｐｎとの関係式は、式（１）によって示される。
【００５１】
【数１】
2017173263.tif 000003
【００５２】
ＲｎとＶｐとＶｎとＶｐｎとの関係式は、式（２）によって示される。
【００５３】
【数２】
2017173263.tif 000004
【００５４】
上述したように、取得部１１０は、ＶｐとＶｎとを取得する。また、取得部１１０は、取得したＶｐと、Ｖｎとに基づき、Ｖｐｎを算出する。また、挿入抵抗ＲＩである挿入正極抵抗ＲＩＰ及び挿入負極抵抗ＲＩＮは、いずれも２ＭΩである。したがって、式（１）及び式（２）のうち、Ｖｐ、Ｖｎ、Ｖｐｎ、Ｒは既知の値である。
取得部１１０は、直流回路ＤＣＣの正極絶縁抵抗ＲＰの抵抗値であるＲｐを算出する。また、取得部１１０は、直流回路ＤＣＣの負極絶縁抵抗ＲＮの抵抗値であるＲｎを算出する。これにより、取得部１１０は、絶縁抵抗Ｒに関する値を取得する。
【００５５】
［絶縁抵抗測定装置の動作について］
以下、図７を参照して絶縁抵抗測定装置１の動作について説明する。
図７は、第１実施形態の絶縁抵抗測定装置１の動作の一例を示す流れ図である。
図７に示す通り、開始情報入力部１６０は、取得部１１０に開始情報ＳＩを出力する（ステップＳ１００）。取得部１１０は、開始情報入力部１６０から開始情報ＳＩが入力されたか否かを判定する（ステップＳ１１０）。取得部１１０は、開始情報入力部１６０から開始情報ＳＩが入力されるまでの間（ステップＳ１１０；ＮＯ）、現在の状態を保持する。取得部１１０は、開始情報入力部１６０から開始情報ＳＩを取得した場合（ステップＳ１１０；ＹＥＳ）、処理をステップＳ１２０に進める。取得部１１０は、第１正極側開閉器ＳＰ１及び第１負極側開閉器ＳＮ１を第１状態に制御する正極側開閉制御信号ＳＰＳと負極側開閉制御信号ＳＮＳとを出力する（ステップＳ１２０）。測定部１５０は、第１正極側開閉器ＳＰ１及び第１負極側開閉器ＳＮ１が第１状態に制御されたことに応じて、正極抵抗電位差ＲＶＰを測定し、取得部１１０に出力する（ステップＳ１３０）。取得部１１０には、測定部１５０から正極抵抗電位差ＲＶＰが入力される（ステップＳ１４０）。
【００５６】
取得部１１０は、第１正極側開閉器ＳＰ１及び第１負極側開閉器ＳＮ１を第２状態に制御する正極側開閉制御信号ＳＰＳと負極側開閉制御信号ＳＮＳとを出力する（ステップＳ１５０）。測定部１５０は、第１正極側開閉器ＳＰ１及び第１負極側開閉器ＳＮ１が第２状態に制御されたことに応じて、負極抵抗電位差ＲＶＮを測定し、取得部１１０に出力する（ステップＳ１６０）。取得部１１０には、測定部１５０から負極抵抗電位差ＲＶＮが入力される（ステップＳ１７０）。
【００５７】
取得部１１０は、第１正極側開閉器ＳＰ１及び第１負極側開閉器ＳＮ１を第３状態に制御する正極側開閉制御信号ＳＰＳと負極側開閉制御信号ＳＮＳとを出力する（ステップＳ１８０）。測定部１５０は、第１正極側開閉器ＳＰ１及び第１負極側開閉器ＳＮ１が第３状態に制御されたことに応じて、正極抵抗電位差ＲＶＰと負極抵抗電位差ＲＶＮとを測定し、取得部１１０に出力する（ステップＳ１９０）。取得部１１０には、測定部１５０から正極抵抗電位差ＲＶＰと負極抵抗電位差ＲＶＮとが入力される（ステップＳ１９５）。
【００５８】
取得部１１０は、第３状態において入力された正極抵抗電位差ＲＶＰと負極抵抗電位差ＲＶＮとに基づいて、正極抵抗電位差ＲＶＰと負極抵抗電位差ＲＶＮとの和を算出する（ステップＳ２００）。取得部１１０は、算出した正極抵抗電位差ＲＶＰと負極抵抗電位差ＲＶＮとの和を、正極対負極電位差ＶＰＮを示す値として取得する。取得部１１０は、取得した第１状態における正極抵抗電位差ＲＶＰ、第２状態における負極抵抗電位差ＲＶＮ及び第３状態における正極対負極電位差ＶＰＮに基づいて、正極絶縁抵抗ＲＰの値を算出する（ステップＳ２１０）。また、取得部１１０は、取得した第１状態における正極抵抗電位差ＲＶＰ、第２状態における負極抵抗電位差ＲＶＮ及び第３状態における正極対負極電位差ＶＰＮに基づいて、負極絶縁抵抗ＲＮの値を算出する（ステップＳ２２０）。
【００５９】
［第１実施形態のまとめ］
以上説明したように、本実施形態の絶縁抵抗測定装置１は、第１正極側開閉器ＳＰ１と、第１負極側開閉器ＳＮ１と、測定部１５０と、制御部１００と、挿入抵抗ＲＩとを備える。
絶縁抵抗測定装置１は、正極ＢＳＰと負極ＢＳＮとの中性点ＣＰが大地Ｇに接地された構成を有する直流回路ＤＣＣの絶縁抵抗Ｒを測定する装置である。
制御部１００は、ＣＰＵを備えており、取得部１１０をその機能部として備える。取得部１１０は、第１正極側開閉器ＳＰ１及び第１負極側開閉器ＳＮ１の開閉を制御する。
【００６０】
測定部１５０は、正極ＢＳＰと大地Ｇとの間に挿入正極抵抗ＲＩＰを接続した状態における正極ＢＳＰと大地Ｇとの電位差である正極抵抗電位差ＲＶＰを測定する。
また、測定部１５０は、負極ＢＳＮと大地Ｇとの間に挿入負極抵抗ＲＩＮを接続した状態における負極ＢＳＮと大地Ｇとの電位差である負極抵抗電位差ＲＶＮを測定する。
取得部１１０には、第１状態、第２状態及び第３状態において測定部１５０が測定した正極抵抗電位差ＲＶＰ、負極抵抗電位差ＲＶＮが入力される。
【００６１】
取得部１１０は、測定部１５０が測定した測定結果に基づいて、直流回路ＤＣＣの絶縁抵抗Ｒに関する値を取得する。
具体的には、取得部１１０は、測定部１５０から絶縁抵抗Ｒに関する値である第１状態における正極抵抗電位差ＲＶＰと、第２状態における負極抵抗電位差ＲＶＮとを取得する。また、取得部１１０は、第３状態における正極抵抗電位差ＲＶＰ及び負極抵抗電位差ＲＶＮを取得し、正極抵抗電位差ＲＶＰと、負極抵抗電位差ＲＶＮとの和を算出する。取得部１１０は、算出した正極抵抗電位差ＲＶＰと、負極抵抗電位差ＲＶＮとの和を絶縁抵抗Ｒに関する値である正極対負極電位差ＶＰＮとして取得する。また、取得部１１０は、取得した第１状態における正極抵抗電位差ＲＶＰと、第２状態における負極抵抗電位差ＲＶＮと、第３状態における正極対負極電位差ＶＰＮとに基づいて、絶縁抵抗Ｒに関する値である正極絶縁抵抗ＲＰ及び負極絶縁抵抗ＲＮの値を算出する。これにより、取得部１１０は、絶縁抵抗Ｒに関する値を取得する。
【００６２】
ここで、従来の技術では、測定者が直流回路の絶縁抵抗を測定する際に、当該測定者が直流回路に挿入抵抗を手動で接続及び切断することが求められる場合があった。
したがって、従来の技術では、直流回路の絶縁抵抗を測定する測定者が、当該直流回路の接続を手動で変更する手間を低減することが困難である場合があった。
【００６３】
本実施形態の絶縁抵抗測定装置１によれば、直流回路ＤＣＣへの挿入抵抗ＲＩの接続を自動で切替えることができる。具体的には、取得部１１０の制御によって第１正極側開閉器ＳＰ１及び第１負極側開閉器ＳＮ１の接続を切替えることができる。これにより、取得部１１０は、正極抵抗電位差ＲＶＰ、負極抵抗電位差ＲＶＮを自動で取得することができる。
本実施形態の絶縁抵抗測定装置１によれば、直流回路ＤＣＣの絶縁抵抗Ｒを自動で取得することができる。すなわち、本実施形態の絶縁抵抗測定装置１によれば、直流回路ＤＣＣの絶縁抵抗Ｒの接続を手動で変更する手間を低減することができる。
【００６４】
また、従来の技術では、挿入正極抵抗と挿入負極抵抗とが、１つ抵抗によって構成される場合があった。具体的には、従来の技術では、ある１つの挿入抵抗の接続を適宜変更し、正極対大地電位差と負極対大地電位差とを測定する場合があった。この場合、挿入抵抗の接続を誤って行うことにより、直流回路の正極と負極とがショートする場合があった。
したがって、従来の技術では、直流回路に挿入抵抗を接続する作業者の作業誤りによって当該直流回路が破損することを抑制することが困難であった。
【００６５】
本実施形態の絶縁抵抗測定装置１は、挿入抵抗ＲＩを２つ備える。具体的には、絶縁抵抗測定装置１は、挿入正極抵抗ＲＩＰ及び挿入負極抵抗ＲＩＮを備える。また、挿入正極抵抗ＲＩＰ及び挿入負極抵抗ＲＩＮの接続は、第１正極側開閉器ＳＰ１及び第１負極側開閉器ＳＮ１によって制御される。本実施形態の絶縁抵抗測定装置１は、第１正極側開閉器ＳＰ１及び第１負極側開閉器ＳＮ１の開閉状態がいずれの状態であっても、正極ＢＳＰと負極ＢＳＮとがショートしない構成を有する。
本実施形態の絶縁抵抗測定装置１によれば、直流回路ＤＣＣに挿入抵抗ＲＩが接続される際の作業誤りによって直流回路ＤＣＣが破損することを抑止することができる。
【００６６】
［第２実施形態：収束判定について］
上述したように、直流回路ＤＣＣには、回路Ｃ及び直流地絡故障継電器６４Ｄをはじめ、各種設備が接続される。各種設備は、例えば、外来ノイズや整流器のリップル等のノイズ除去を目的としたフィルタ等である。各種設備は、その特性に応じて静電容量を有する。したがって、直流回路ＤＣＣは、当該直流回路ＤＣＣに接続される各種設備の特性に応じて、静電容量を有する。
また、第１実施形態において説明したように、絶縁抵抗測定装置１は、挿入正極抵抗ＲＩＰ及び挿入負極抵抗ＲＩＮを用いて、正極抵抗電位差ＲＶＰ、負極抵抗電位差ＲＶＮを測定し、正極対負極電位差ＶＰＮを算出する。また、絶縁抵抗測定装置１は、測定した正極抵抗電位差ＲＶＰ、負極抵抗電位差ＲＶＮ及び算出した正極対負極電位差ＶＰＮに基づいて、絶縁抵抗Ｒに関する値を取得する。
【００６７】
ここで、挿入抵抗ＲＩの抵抗値によっては、直流回路ＤＣＣが有する静電容量による過渡現象が正極抵抗電位差ＲＶＰ及び負極抵抗電位差ＲＶＮの値の変動に影響する場合がある。具体的には、過渡現象が影響し、挿入抵抗ＲＩが直流回路ＤＣＣに接続されてから正極抵抗電位差ＲＶＰ及び負極抵抗電位差ＲＶＮの値が一定の値に収束するまで時間を要する場合がある。より具体的には、挿入正極抵抗ＲＩＰ及び挿入負極抵抗ＲＩＮの抵抗値が大きいほど、正極抵抗電位差ＲＶＰ及び負極抵抗電位差ＲＶＮの値が収束するまで時間を要する場合がある。
この場合、測定部１５０が正極抵抗電位差ＲＶＰ及び負極抵抗電位差ＲＶＮを取得部１１０に出力するタイミングによっては、絶縁抵抗測定装置１が取得する絶縁抵抗Ｒに関する値が変化する場合がある。
以下、第２実施形態の絶縁抵抗測定装置２が直流回路ＤＣＣに過渡現象が生じる場合であっても絶縁抵抗Ｒに関する値を精度高く測定する構成について説明する。
【００６８】
［絶縁抵抗測定装置の構成について］
以下、図を参照して本発明の第２実施形態について説明する。
図８は、第２実施形態の絶縁抵抗測定装置２の構成の一例を示す図である。
第１実施形態では、取得部１１０が測定部１５０から入力された正極抵抗電位差ＲＶＰ、負極抵抗電位差ＲＶＮ及び算出した正極対負極電位差ＶＰＮに基づいて、絶縁抵抗Ｒに関する値を取得する場合について説明した。
第２実施形態の絶縁抵抗測定装置２は、直流回路ＤＣＣが有する静電容量による過渡現象の収束を判定した後に測定部１５０が正極抵抗電位差ＲＶＰ及び負極抵抗電位差ＲＶＮを測定する点において、第１実施形態とは異なる。
第１実施形態の絶縁抵抗測定装置１においても絶縁抵抗Ｒに関する値を取得することが可能である。直流回路ＤＣＣに過渡現象が生じる場合、第１実施形態の絶縁抵抗測定装置１と、第２実施形態の絶縁抵抗測定装置２とでは、絶縁抵抗測定装置２の方がより精度高く絶縁抵抗Ｒに関する値を取得することができる。
なお、上述した第１実施形態と同様の構成については、同一の符号を付してその説明を省略する。
【００６９】
図８に示す通り、絶縁抵抗測定装置２は、制御部２００と、測定部１５０と、第１正極側開閉器ＳＰ１と、第１負極側開閉器ＳＮ１と、挿入正極抵抗ＲＩＰと、挿入負極抵抗ＲＩＮと、開始情報入力部１６０とを備える。
開始情報入力部１６０は、制御部２００に接続される。
制御部２００は、ＣＰＵを備えており、取得部１１０と収束判定部２１０とをその機能部として備える。
開始情報入力部１６０は、絶縁抵抗Ｒの測定開始を示す開始情報ＳＩを制御部２００に備えられた取得部１１０へ出力する。
【００７０】
取得部１１０は、開始情報入力部１６０から開始情報ＳＩが入力されたことに応じて、処理を開始する。具体的には、取得部１１０は、開始情報ＳＩが入力されたことに応じて、第１正極側開閉器ＳＰ１及び第１負極側開閉器ＳＮ１を第１状態、第２状態及び第３状態に制御する。
取得部１１０は、第１正極側開閉器ＳＰ１及び第１負極側開閉器ＳＮ１が第１状態に制御されたことに応じて、測定部１５０から入力された正極抵抗電位差ＲＶＰを収束判定部２１０に出力する。また、取得部１１０は、第１正極側開閉器ＳＰ１及び第１負極側開閉器ＳＮ１が第２状態に制御されたことに応じて、測定部１５０から入力された負極抵抗電位差ＲＶＮを収束判定部２１０に出力する。
【００７１】
［収束判定部の詳細について］
収束判定部２１０には、取得部１１０から第１状態における正極抵抗電位差ＲＶＰ及び第２状態における負極抵抗電位差ＲＶＮが入力される。収束判定部２１０は、入力された正極抵抗電位差ＲＶＰ及び負極抵抗電位差ＲＶＮの過渡現象による値の変化が収束し、所定の値以上の変化が見られなくなった場合、正極抵抗電位差ＲＶＰ及び負極抵抗電位差ＲＶＮが収束したと判定する。
【００７２】
以下、図９を参照して、収束判定部２１０が第１状態における正極抵抗電位差ＲＶＰの収束を判定する判定の詳細について説明する。
図９は、第２実施形態の正極抵抗電位差ＲＶＰの時間推移の一例を示すグラフである。
波形ＷＲＶＰは、大地Ｇに対する第１状態における正極抵抗電位差ＲＶＰの値の時間推移を示す。
以下、収束判定部２１０が取得部１１０から入力される第１状態における正極抵抗電位差ＲＶＰの収束の判定を行う場合を一例に説明する。収束判定部２１０は、取得部１１０から入力される第２状態における負極抵抗電位差ＲＶＮの収束の判定についても同様の判定を行う。また、第３状態における正極対負極電位差ＶＰＮ及び正極対負極電位差ＶＰＮについては、取得部１１０から収束判定部２１０に対しての出力を行わず、収束判定部２１０において収束の判定を行わない。
【００７３】
上述したように、測定部１５０は、第１状態における正極抵抗電位差ＲＶＰを測定する。
また、上述したように、挿入抵抗ＲＩが直流回路ＤＣＣに接続されてから正極抵抗電位差ＲＶＰ及び負極抵抗電位差ＲＶＮの値が一定の値に収束するまで時間を要する場合がある。具体的には、図９に示す通り、正極抵抗電位差ＲＶＰの時間推移を示す波形ＷＲＶＰは、時間が経過するにしたがって、値が収束する。より具体的には、波形ＷＲＶＰは、所定の時間が経過した後、正極抵抗電位差ＲＶＰが収束した値である電位差収束値ＲＶＰＣに収束する。所定の時間は、例えば、挿入正極抵抗ＲＩＰが正極ＢＳＰ及び大地Ｇとの間又は負極ＢＳＮ及び大地Ｇとの間に接続されてから直流回路ＤＣＣが有する静電容量に電荷が充電されるまでの時間である。また、電位差収束値ＲＶＰＣは、直流回路ＤＣＣが有する静電容量に電荷が充電された際の正極抵抗電位差ＲＶＰの値である。
【００７４】
収束判定部２１０には、第１正極側開閉器ＳＰ１及び第１負極側開閉器ＳＮ１が第１状態に制御されたことに応じて測定部１５０が出力した正極抵抗電位差ＲＶＰが取得部１１０を介して入力される。ここで、取得部１１０から収束判定部２１０に正極抵抗電位差ＲＶＰが入力された時刻は、時刻ｔ０である。
収束判定部２１０は、時刻ｔ０における電圧値ＶＶである電圧値ＶＶ１を取得する。電圧値ＶＶは、大地Ｇに対する正極抵抗電位差ＲＶＰの値である。
また、収束判定部２１０は、時刻ｔ０から予め設定された時間である設定時間Δｔが経過した後の時刻ｔ１における電圧値ＶＶである電圧値ＶＶ２を取得する。
ここで、設定時間Δｔは、直流回路ＤＣＣの静電容量に充電される電荷量に変化が生じるまでに要する時間である。具体的には、設定時間Δｔは、数秒程度の時間である。
【００７５】
収束判定部２１０は、設定時間Δｔが経過する前の電圧値ＶＶと設定時間Δｔが経過した後の電圧値ＶＶとの値を比較する。以降の記載において、設定時間Δｔが経過する前の電圧値ＶＶと設定時間Δｔが経過した後の電圧値ＶＶとの差の絶対値を電圧変化値ΔＶと記載する。
【００７６】
収束判定部２１０は、設定時間Δｔが経過することによって生じる電圧変化値ΔＶの値が閾値ＴＨより大きい場合、正極抵抗電位差ＲＶＰが収束していないと判定する。
閾値ＴＨとは、例えば、設定時間Δｔが示す時間の間に正極抵抗電位差ＲＶＰが過渡現象によって変化した場合の電圧変化値ΔＶの最小値である。
また、収束判定部２１０は、設定時間Δｔ経過によって生じる電圧変化値ΔＶが閾値ＴＨより小さい場合、正極抵抗電位差ＲＶＰが収束したと判定する。
【００７７】
具体的には、図９に示す通り、収束判定部２１０は、時刻ｔ０における電圧値ＶＶ１と、時刻ｔ０から設定時間Δｔが経過した後の時刻ｔ１における電圧値ＶＶである電圧値ＶＶ２とに基づいて、電圧変化値ΔＶ１を算出する。電圧変化値ΔＶ１は、時刻ｔ０における電圧値ＶＶ１と、時刻ｔ１における電圧値ＶＶ２との電圧変化値ΔＶである。
収束判定部２１０は、算出した電圧変化値ΔＶ１が閾値ＴＨより大きい場合、正極抵抗電位差ＲＶＰが収束していないと判定する。また、電圧変化値ΔＶ１が閾値ＴＨより小さい場合、正極抵抗電位差ＲＶＰが収束したと判定する。
収束判定部２１０は、正極抵抗電位差ＲＶＰが収束したと判定されるまでの間、電圧変化値ΔＶを算出する。
【００７８】
なお、上述では、収束判定部２１０は、電圧変化値ΔＶが閾値ＴＨより小さい場合、正極抵抗電位差ＲＶＰが収束したと判定する場合について説明したが、これに限られない。正極抵抗電位差ＲＶＰが振幅を伴って収束する場合、収束判定部２１０は、電圧変化値ΔＶが閾値ＴＨより小さいと複数回判定した場合に正極抵抗電位差ＲＶＰが収束したと判定してもよい。例えば、収束判定部２１０は、電圧変化値ΔＶが閾値ＴＨより小さいと３０回程度判定した場合、正極抵抗電位差ＲＶＰが収束したと判定してもよい。
【００７９】
収束判定部２１０は、収束したと判定した場合、正極抵抗電位差ＲＶＰ及び負極抵抗電位差ＲＶＮを取得部１１０に出力する。
取得部１１０は、第３状態において算出した正極対負極電位差ＶＰＮと、収束判定部２１０から入力された第１状態における正極抵抗電位差ＲＶＰ及び第２状態における負極抵抗電位差ＲＶＮとに基づいて、直流回路ＤＣＣの絶縁抵抗Ｒである正極絶縁抵抗ＲＰと負極絶縁抵抗ＲＮとを取得する。
取得部１１０が絶縁抵抗Ｒに関する値を取得する手法については第１実施形態と同様であるため、説明を省略する。
【００８０】
［第２実施形態のまとめ］
以上説明したように、本実施形態の絶縁抵抗測定装置２は、第１正極側開閉器ＳＰ１と、第１負極側開閉器ＳＮ１と、測定部１５０と、開始情報入力部１６０と、制御部２００と、挿入抵抗ＲＩを備える。
制御部２００は、ＣＰＵを備えており、取得部１１０と、収束判定部２１０とをその機能部として備える。
【００８１】
測定部１５０は、正極ＢＳＰと大地Ｇとの間に挿入正極抵抗ＲＩＰを接続した状態での正極ＢＳＰと大地Ｇとの電位差である正極抵抗電位差ＲＶＰを測定する。
また、測定部１５０は、負極ＢＳＮと大地Ｇとの間に挿入負極抵抗ＲＩＮを接続した状態において、負極ＢＳＮと大地Ｇとの電位差である負極抵抗電位差ＲＶＮを測定する。
測定部１５０は、測定した正極抵抗電位差ＲＶＰ及び負極抵抗電位差ＲＶＮを取得部１１０に出力する。
【００８２】
収束判定部２１０には、測定部１５０が測定した第１状態における正極抵抗電位差ＲＶＰと第２状態における負極抵抗電位差ＲＶＮとが取得部１１０を介して入力される。収束判定部２１０は、入力された第１状態における正極抵抗電位差ＲＶＰと第２状態における負極抵抗電位差ＲＶＮとの値について収束条件を満たすか否かを判定する。収束判定部２１０は、収束したと判定した第１状態における正極抵抗電位差ＲＶＰ及び第２状態における負極抵抗電位差ＲＶＮを取得部１１０に出力する。
取得部１１０には、収束判定部２１０によって収束したと判定された第１状態における正極抵抗電位差ＲＶＰ及び第２状態における負極抵抗電位差ＲＶＮが収束判定部２１０から入力される。
【００８３】
取得部１１０は、測定部１５０の測定結果が収束条件を満たすと収束判定部２１０が判定した値を用いて直流回路ＤＣＣの絶縁抵抗Ｒに関する値を取得する。
具体的には、取得部１１０は、収束判定部２１０が収束条件を満たすと判定した第１状態における正極抵抗電位差ＲＶＰ及び第２状態における負極抵抗電位差ＲＶＮと、第３状態における正極対負極電位差ＶＰＮとに基づいて、直流回路ＤＣＣの絶縁抵抗Ｒである正極絶縁抵抗ＲＰ及び負極絶縁抵抗ＲＮの値を取得する。
【００８４】
本実施形態の絶縁抵抗測定装置２は、第１状態における正極抵抗電位差ＲＶＰ及び第２状態における負極抵抗電位差ＲＶＮについて、直流回路ＤＣＣの過渡現象による値の変化が収束したか否か収束判定を行う。また、絶縁抵抗測定装置２は、第１状態における正極抵抗電位差ＲＶＰ及び第２状態における負極抵抗電位差ＲＶＮが収束したと判定された場合、判定された第１状態における正極抵抗電位差ＲＶＰ及び第２状態における負極抵抗電位差ＲＶＮを絶縁抵抗Ｒの値の算出に用いる。
したがって、本実施形態の絶縁抵抗測定装置２によれば、直流回路ＤＣＣの絶縁抵抗Ｒに関する値をより精度高く取得することができる。
【００８５】
なお、上述では、収束判定部２１０が第１状態における正極抵抗電位差ＲＶＰ及び第２状態における負極抵抗電位差ＲＶＮの収束を判定する場合について説明したが、これに限られない。収束判定部２１０は、第１状態における正極抵抗電位差ＲＶＰ及び第２状態における負極抵抗電位差ＲＶＮのうち、少なくとも１つの値の収束を判定してもよい。
【００８６】
［従来技術：挿入抵抗の値に応じた絶縁抵抗の精度について］
上述では、正極抵抗電位差ＲＶＰ、負極抵抗電位差ＲＶＮの測定の際に、２ＭΩの挿入抵抗ＲＩを使用する場合について説明した。
ここで、挿入抵抗ＲＩの抵抗値と、直流回路ＤＣＣの絶縁抵抗Ｒの抵抗値とが乖離している場合、絶縁抵抗測定装置２が取得する絶縁抵抗Ｒの値に誤差が生じる場合がある。
以下、絶縁抵抗測定装置２が正極絶縁抵抗ＲＰを取得する場合を一例に説明する。
上述したように、正極絶縁抵抗ＲＰは、式（１）によって示される。
【００８７】
ここで、式（１）の第１項であるＲ（Ｖｐｎ／Ｖｎ）は、定数であるＲ及びＶｐｎと、変数であるＶｎとによって構成される。第１項の場合、Ｒが示す挿入抵抗ＲＩの抵抗値が小さいほど、Ｖｎである負極抵抗電位差ＲＶＮの値が小さくなり、負極抵抗電位差ＲＶＮの計測に誤差が生じやすい。また、負極絶縁抵抗ＲＮについても同様に、Ｒが示す挿入抵抗ＲＩの抵抗値が小さいほど、Ｖｐである正極抵抗電位差ＲＶＰの値が小さくなり、正極抵抗電位差ＲＶＰの計測に誤差が生じやすい。
【００８８】
また、式（１）の第２項であるＲ（Ｖｐ／Ｖｎ）は、定数であるＲと、変数であるＶｐ及びＶｎによって構成される。第２項の場合、Ｒが示す挿入抵抗ＲＩの抵抗値と絶縁抵抗Ｒの抵抗値とが近い値であるほど、計測に誤差が生じにくい。しかし、絶縁抵抗Ｒが劣化等によって変化し、挿入抵抗ＲＩの抵抗値と絶縁抵抗Ｒの抵抗値とに差が生じる場合、計測に誤差が生じやすい。
また、式（１）の第３項は、定数であるＲによって構成される。よって、第３項は、計測の誤差に影響しない。
【００８９】
以下、直流回路ＤＣＣの絶縁抵抗Ｒの抵抗値と、挿入抵抗ＲＩの抵抗値とが乖離している場合、絶縁抵抗測定装置２が取得する絶縁抵抗Ｒの誤差について説明する。
具体的には、直流回路ＤＣＣの絶縁抵抗Ｒが１００ＭΩであって、挿入抵抗ＲＩが１００ｋΩである場合、絶縁抵抗測定装置２が取得する絶縁抵抗Ｒの誤差について説明する。この場合、式（１）より、Ｖｐ及びＶｎは、いずれも０．１１Ｖである。
【００９０】
ここで、絶縁抵抗測定装置２が備える測定部１５０の測定誤差によってＶｎに＋０．１Ｖの誤差が生じた場合、式（１）から算出される正極絶縁抵抗ＲＰの値は、５２．３ＭΩである。これは、正極絶縁抵抗ＲＰが１００ＭΩである直流回路ＤＣＣに対して、絶縁抵抗測定装置２が取得した正極絶縁抵抗ＲＰが５２．３ＭΩであることを示す。
直流回路ＤＣＣの絶縁抵抗Ｒの抵抗値と、挿入抵抗ＲＩの抵抗値とが乖離している場合、絶縁抵抗測定装置２が取得する絶縁抵抗Ｒの抵抗値は、直流回路ＤＣＣの絶縁抵抗Ｒの抵抗値と大きく異なる。
すなわち、挿入抵抗ＲＩの抵抗値として、直流回路ＤＣＣの絶縁抵抗Ｒの抵抗値と近い値を選定することにより、より精度高く絶縁抵抗Ｒの値を取得することができる。
【００９１】
［第３実施形態：挿入抵抗の選定］
以下、図を参照して本発明の第３実施形態について説明する。
図１０は、第３実施形態の絶縁抵抗測定装置３の構成の一例を示す図である。
第３実施形態の絶縁抵抗測定装置３は、直流回路ＤＣＣの絶縁抵抗Ｒの値と近い抵抗値である挿入抵抗ＲＩを用いて当該絶縁抵抗Ｒを取得する点において、第１実施形態及び第２実施形態と異なる。
なお、上述した第１実施形態及び第２実施形態と同様の構成については、同一の符号を付してその説明を省略する。
【００９２】
図１０に示す通り、絶縁抵抗測定装置３は、制御部３００と測定部１５０と開始情報入力部１６０と第１正極側開閉器ＳＰ１と第２正極側開閉器ＳＰ２と第１負極側開閉器ＳＮ１と第２負極側開閉器ＳＮ２と挿入抵抗ＲＩと挿入正極低抵抗ＬＲＩＰと挿入負極低抵抗ＬＲＩＮとを備える。
【００９３】
挿入正極低抵抗ＬＲＩＰは、大地Ｇと接続される。また、挿入正極低抵抗ＬＲＩＰは、第２正極側開閉器ＳＰ２を介して正極ＢＳＰと接続される。
具体的には、挿入正極低抵抗ＬＲＩＰは、端子ｔＩＰ３と端子ｔＩＰ４とを備える。挿入正極低抵抗ＬＲＩＰの端子ｔＩＰ３と第２正極側開閉器ＳＰ２とは、接続される。また、挿入正極低抵抗ＬＲＩＰ端子ｔＩＰ４とアース端子ＴＥとは、接続される。また、第２正極側開閉器ＳＰ２と正極端子ＴＰとは、接続される。
挿入負極低抵抗ＬＲＩＮは、大地Ｇと接続される。また、挿入負極低抵抗ＬＲＩＮは、第２負極側開閉器ＳＮ２を介して負極ＢＳＮと接続される。
具体的には、挿入負極低抵抗ＬＲＩＮは、端子ｔＩＮ３と端子ｔＩＮ４とを備える。挿入負極低抵抗ＬＲＩＮの端子ｔＩＮ３と第２負極側開閉器ＳＮ２とは接続される。また、挿入負極低抵抗ＬＲＩＮの端子ｔＩＮ４とアース端子ＴＥとは接続される。また、第２負極側開閉器ＳＮ２と負極端子ＴＮとは、接続される。
以降の記載において、挿入正極低抵抗ＬＲＩＰと挿入負極低抵抗ＬＲＩＮとを区別しない場合には、挿入低抵抗ＬＲＩと記載する。
挿入正極低抵抗ＬＲＩＰと挿入負極低抵抗ＬＲＩＮとは、同一の抵抗値である。挿入正極低抵抗ＬＲＩＰと挿入負極低抵抗ＬＲＩＮとは、例えば、１００ｋΩである。
【００９４】
なお、挿入低抵抗ＬＲＩは、抵抗値が１００ｋΩの抵抗であってもよく、１００ｋΩ以外の抵抗であってもよい。例えば、挿入低抵抗ＬＲＩは、直流回路ＤＣＣの絶縁抵抗Ｒが絶縁破壊を起こした場合に、挿入低抵抗ＬＲＩに流入する電流によって当該挿入低抵抗ＬＲＩが破壊されない抵抗値であれば、いずれの抵抗値であってもよい。
また、絶縁抵抗Ｒが絶縁破壊を起こした場合、挿入低抵抗ＬＲＩには、当該挿入低抵抗ＬＲＩに正極対負極電位差ＶＰＮが示す電圧が印加されることに伴い、事故電流が流れる。この場合、挿入低抵抗ＬＲＩに流れる事故電流の電流値によっては、直流回路ＤＣＣに接続される他の機器に事故電流が流入することにより、他の機器が誤作動する場合がある。挿入低抵抗ＬＲＩは、挿入低抵抗ＬＲＩに流れる事故電流が直流回路ＤＣＣに接続される他の機器に流れることにより、当該他の機器が誤作動しない抵抗値が設定される。具体的には、挿入低抵抗ＬＲＩは、当該挿入低抵抗ＬＲＩに流れる電流が数ｍＡを超えないように設定された抵抗値であれば、いずれの抵抗値であってもよい。
【００９５】
制御部３００は、ＣＰＵを備えており、取得部３１０をその機能部として備える。
取得部３１０は、第１正極側開閉器ＳＰ１、第２正極側開閉器ＳＰ２、第１負極側開閉器ＳＮ１及び第２負極側開閉器ＳＮ２の開閉を制御する。
具体的には、取得部３１０は、第１正極側開閉器ＳＰ１及び第２正極側開閉器ＳＰ２を制御する正極側開閉制御信号ＳＰＳを第１正極側開閉器ＳＰ１及び第２正極側開閉器ＳＰ２に出力する。第１正極側開閉器ＳＰ１及び第２正極側開閉器ＳＰ２は、取得部３１０から入力される正極側開閉制御信号ＳＰＳに基づいて、その開閉が制御される。
また、取得部３１０は、第１負極側開閉器ＳＮ１及び第２負極側開閉器ＳＮ２を制御する負極側開閉制御信号ＳＮＳを第１負極側開閉器ＳＮ１及び第２負極側開閉器ＳＮ２に出力する。第１負極側開閉器ＳＮ１及び第２負極側開閉器ＳＮ２は、取得部３１０から入力される負極側開閉制御信号ＳＮＳに基づいて、その開閉が制御される。
【００９６】
上述したように、取得部３１０は、測定部１５０から第１状態における正極抵抗電位差ＲＶＰ及び第２状態における負極抵抗電位差ＲＶＮを取得する。また、取得部３１０は、第３状態において入力された正極抵抗電位差ＲＶＰと負極抵抗電位差ＲＶＮとに基づいて、正極抵抗電位差ＲＶＰと負極抵抗電位差ＲＶＮとの和を算出する。取得部３１０は、算出した正極抵抗電位差ＲＶＰと負極抵抗電位差ＲＶＮとの和を、正極対負極電位差ＶＰＮを示す値として取得する。また、取得部３１０は、取得した第１状態における正極抵抗電位差ＲＶＰ、第２状態における負極抵抗電位差ＲＶＮ及び第３状態における正極対負極電位差ＶＰＮに基づいて、直流回路ＤＣＣの絶縁抵抗Ｒの値を算出する。
また、取得部３１０は、第１状態における正極抵抗電位差ＲＶＰ、第２状態における負極抵抗電位差ＲＶＮ及び第３状態における正極対負極電位差ＶＰＮに基づいて算出し、取得した直流回路ＤＣＣの絶縁抵抗Ｒの値を判定する。取得部３１０は、絶縁抵抗Ｒの値が１０ＭΩより小さいと判定する場合には、正極低抵抗電位差ＬＲＶＰ及び負極低抵抗電位差ＬＲＶＮを測定する。取得部３１０は、取得した正極低抵抗電位差ＬＲＶＰ及び負極低抵抗電位差ＬＲＶＮと、算出した正極対負極電位差ＶＰＮとに基づいて、絶縁抵抗Ｒを取得する。
正極低抵抗電位差ＬＲＶＰは、正極端子ＴＰとアース端子ＴＥとの間に挿入正極抵抗ＲＩＰと挿入正極低抵抗ＬＲＩＰとが並列に接続された場合の正極対大地電位差ＶＰである。また、負極低抵抗電位差ＬＲＶＮは、負極端子ＴＮとアース端子ＴＥとの間に挿入負極抵抗ＲＩＮと挿入負極低抵抗ＬＲＩＮとが並列に接続された場合の負極対大地電位差ＶＮである。
【００９７】
なお、上述では、取得部３１０が正極抵抗電位差ＲＶＰ、負極抵抗電位差ＲＶＮ及び正極対負極電位差ＶＰＮに基づいて絶縁抵抗Ｒの値を算出し、取得した値を判定し、判定した結果に応じて正極低抵抗電位差ＬＲＶＰ、負極低抵抗電位差ＬＲＶＮ及び正極対負極電位差ＶＰＮを取得し、絶縁抵抗Ｒを算出する場合について説明したが、これに限られない。取得部３１０は、正極抵抗電位差ＲＶＰ、負極抵抗電位差ＲＶＮ及び正極対負極電位差ＶＰＮに基づく絶縁抵抗Ｒと、正極低抵抗電位差ＬＲＶＰ、負極低抵抗電位差ＬＲＶＮ及び正極対負極電位差ＶＰＮに基づく絶縁抵抗Ｒとの２つを取得してもよい。また、取得部３１０は、正極低抵抗電位差ＬＲＶＰ、負極低抵抗電位差ＬＲＶＮ及び正極対負極電位差ＶＰＮに基づく絶縁抵抗Ｒのみを取得してもよい。
【００９８】
［正極低抵抗電位差の入力について］
以下、取得部３１０が測定部１５０から正極低抵抗電位差ＬＲＶＰが入力される場合について説明する。
取得部３１０は、第１正極側開閉器ＳＰ１及び第２正極側開閉器ＳＰ２を閉状態に制御し、第１負極側開閉器ＳＮ１及び第２負極側開閉器ＳＮ２を開状態に制御する。具体的には、取得部３１０は、第１正極側開閉器ＳＰ１及び第２正極側開閉器ＳＰ２を閉状態に制御する正極側開閉制御信号ＳＰＳを出力する。また、取得部３１０は、第１負極側開閉器ＳＮ１及び第２負極側開閉器ＳＮ２を開状態に制御する負極側開閉制御信号ＳＮＳを出力する。
第１正極側開閉器ＳＰ１及び第２正極側開閉器ＳＰ２は閉状態に制御され、第１負極側開閉器ＳＮ１及び第２負極側開閉器ＳＮ２は、開状態に制御される。この場合、正極端子ＴＰとアース端子ＴＥとの間に挿入正極抵抗ＲＩＰと挿入正極低抵抗ＬＲＩＰとが正極絶縁抵抗ＲＰと並列に接続される。
【００９９】
以降の記載において、第１正極側開閉器ＳＰ１及び第２正極側開閉器ＳＰ２が閉状態に制御され、第１負極側開閉器ＳＮ１及び第２負極側開閉器ＳＮ２が開状態に制御される状態を第４状態と記載する。つまり、第１正極側開閉器ＳＰ１、第２正極側開閉器ＳＰ２、第１負極側開閉器ＳＮ１及び第２負極側開閉器ＳＮ２が第４状態に制御される場合、正極端子ＴＰとアース端子ＴＥとの間に挿入正極抵抗ＲＩＰと挿入正極低抵抗ＬＲＩＰと正極絶縁抵抗ＲＰとが並列に接続される。
【０１００】
測定部１５０は、第１正極側開閉器ＳＰ１、第２正極側開閉器ＳＰ２、第１負極側開閉器ＳＮ１及び第２負極側開閉器ＳＮ２が第４状態に制御されることに応じて、正極低抵抗電位差ＬＲＶＰを取得部３１０に出力する。取得部３１０には、測定部１５０から第４状態における正極低抵抗電位差ＬＲＶＰが入力される。
【０１０１】
［負極低抵抗電位差の入力］
以下、取得部３１０に、測定部１５０から負極低抵抗電位差ＬＲＶＮが入力される場合について説明する。
取得部３１０は、第１負極側開閉器ＳＮ１及び第２負極側開閉器ＳＮ２を閉状態に制御し、第１正極側開閉器ＳＰ１及び第２正極側開閉器ＳＰ２を開状態に制御する。具体的には、取得部３１０は、第１負極側開閉器ＳＮ１及び第２負極側開閉器ＳＮ２を閉状態に制御する負極側開閉制御信号ＳＮＳを出力する。また、取得部３１０は、第１正極側開閉器ＳＰ１及び第２正極側開閉器ＳＰ２を開状態に制御する正極側開閉制御信号ＳＰＳを出力する。
第１正極側開閉器ＳＰ１及び第２正極側開閉器ＳＰ２は、開状態に制御され、第１負極側開閉器ＳＮ１及び第２負極側開閉器ＳＮ２は、閉状態に制御される。この場合、負極端子ＴＮとアース端子ＴＥとの間に挿入負極抵抗ＲＩＮと挿入負極低抵抗ＬＲＩＮとが負極絶縁抵抗ＲＮと並列に接続される。
【０１０２】
以降の記載において、第１正極側開閉器ＳＰ１及び第２正極側開閉器ＳＰ２が開状態に制御され、第１負極側開閉器ＳＮ１及び第２負極側開閉器ＳＮ２が閉状態に制御される状態を第５状態と記載する。つまり、第１正極側開閉器ＳＰ１、第２正極側開閉器ＳＰ２、第１負極側開閉器ＳＮ１及び第２負極側開閉器ＳＮ２が第５状態に制御される場合、負極端子ＴＮとアース端子ＴＥとの間に挿入負極抵抗ＲＩＮと挿入負極低抵抗ＬＲＩＮと負極絶縁抵抗ＲＮとが並列に接続される。
【０１０３】
測定部１５０は、第１正極側開閉器ＳＰ１、第２正極側開閉器ＳＰ２、第１負極側開閉器ＳＮ１及び第２負極側開閉器ＳＮ２が第５状態に制御されることに応じて、負極低抵抗電位差ＬＲＶＮを取得部３１０に出力する。取得部３１０には、測定部１５０から第５状態における負極低抵抗電位差ＬＲＶＮが入力される。
【０１０４】
［正極対負極電位差の取得について］
以下、取得部３１０が、測定部１５０からの入力に基づいて正極対負極電位差ＶＰＮを算出し、取得する場合について説明する。
取得部３１０は、第１正極側開閉器ＳＰ１、第２正極側開閉器ＳＰ２、第１負極側開閉器ＳＮ１及び第２負極側開閉器ＳＮ２を閉状態に制御する。具体的には、取得部３１０は、第１正極側開閉器ＳＰ１及び第２正極側開閉器ＳＰ２を閉状態に制御する正極側開閉制御信号ＳＰＳを出力する。また、取得部３１０は、第１負極側開閉器ＳＮ１及び第２負極側開閉器ＳＮ２を閉状態に制御する負極側開閉制御信号ＳＮＳを出力する。
これにより、第１正極側開閉器ＳＰ１、第２正極側開閉器ＳＰ２、第１負極側開閉器ＳＮ１及び第２負極側開閉器ＳＮ２は、閉状態に制御される。この場合、正極端子ＴＰとアース端子ＴＥとの間に挿入正極抵抗ＲＩＰ及び挿入正極低抵抗ＬＲＩＰが並列に接続され、負極端子ＴＮとアース端子ＴＥとの間に挿入負極抵抗ＲＩＮ及び挿入負極低抵抗ＬＲＩＮが並列に接続される。
以降の記載において、第１正極側開閉器ＳＰ１、第２正極側開閉器ＳＰ２、第１負極側開閉器ＳＮ１及び第２負極側開閉器ＳＮ２が閉状態に制御される状態を第６状態と記載する。つまり、第１正極側開閉器ＳＰ１、第２正極側開閉器ＳＰ２、第１負極側開閉器ＳＮ１及び第２負極側開閉器ＳＮ２が第６状態に制御される場合、正極端子ＴＰとアース端子ＴＥとの間に挿入正極抵抗ＲＩＰと挿入正極低抵抗ＬＲＩＰとが並列に接続され、負極端子ＴＮとアース端子ＴＥとの間に挿入負極抵抗ＲＩＮと挿入負極低抵抗ＬＲＩＮとが並列接続される。
測定部１５０は、第１正極側開閉器ＳＰ１、第２正極側開閉器ＳＰ２、第１負極側開閉器ＳＮ１及び第２負極側開閉器ＳＮ２が第６状態に制御されることに応じて、取得部３１０に正極低抵抗電位差ＬＲＶＰと負極低抵抗電位差ＬＲＶＮとを出力する。取得部３１０には、測定部１５０から正極低抵抗電位差ＬＲＶＰと、負極低抵抗電位差ＬＲＶＮとが入力される。取得部１１０は、入力された正極低抵抗電位差ＬＲＶＰと負極低抵抗電位差ＬＲＶＮとに基づいて、正極低抵抗電位差ＬＲＶＰと負極低抵抗電位差ＬＲＶＮとの和を算出する。取得部３１０は、算出した正極低抵抗電位差ＬＲＶＰと負極低抵抗電位差ＬＲＶＮとの和を、正極対負極電位差ＶＰＮを示す値として取得する。
【０１０５】
取得部３１０は、第４状態における正極低抵抗電位差ＬＲＶＰと、第５状態における負極低抵抗電位差ＬＲＶＮと、第６状態における正極対負極電位差ＶＰＮに基づいて、絶縁抵抗Ｒを取得する。
以下、取得部３１０の絶縁抵抗Ｒの取得の詳細について説明する。
【０１０６】
［絶縁抵抗の取得について］
上述したように、取得部３１０は、測定部１５０から入力された第４状態における正極低抵抗電位差ＬＲＶＰと、第５状態における負極低抵抗電位差ＬＲＶＮと、第６状態における正極対負極電位差ＶＰＮとに基づいて、直流回路ＤＣＣの絶縁抵抗Ｒを取得する。
具体的には、取得部３１０は、第４状態における正極低抵抗電位差ＬＲＶＰ、第５状態における負極低抵抗電位差ＬＲＶＮ及び第６状態における正極対負極電位差ＶＰＮに基づいて、直流回路ＤＣＣの正極ＢＳＰ側の絶縁抵抗Ｒである正極絶縁抵抗ＲＰの値を取得する。また、取得部３１０は、第４状態における正極低抵抗電位差ＬＲＶＰ、第５状態における負極低抵抗電位差ＬＲＶＮ及び第６状態における正極対負極電位差ＶＰＮに基づいて、直流回路ＤＣＣの負極ＢＳＮ側の絶縁抵抗Ｒである負極絶縁抵抗ＲＮの値を取得する。
【０１０７】
以降の記載において、正極対負極電位差ＶＰＮの電圧値をＶｐｎと記載する。また、正極低抵抗電位差ＬＲＶＰの電圧値をＶｐと記載する。また、負極低抵抗電位差ＬＲＶＮの電圧値をＶｎと記載する。また、正極絶縁抵抗ＲＰの値をＲｐと記載する。また、負極絶縁抵抗ＲＮの値をＲｎと記載する。
また、上述したように、挿入正極抵抗ＲＩＰと挿入負極抵抗ＲＩＮとは、同一の抵抗値である。また、上述したように、挿入正極低抵抗ＬＲＩＰと挿入負極低抵抗ＬＲＩＮとは同一の抵抗値である。つまり、挿入正極抵抗ＲＩＰ及び挿入正極低抵抗ＬＲＩＰを並列に接続した場合の合成抵抗の抵抗値と、挿入負極抵抗ＲＩＮ及び挿入負極低抵抗ＬＲＩＮを並列に接続した場合の合成抵抗の抵抗値とは同一の抵抗値である。
以降の記載において、挿入正極抵抗ＲＩＰ及び挿入正極低抵抗ＬＲＩＰを並列に接続した場合の合成抵抗の抵抗値と、挿入負極抵抗ＲＩＮ及び挿入負極低抵抗ＬＲＩＮを並列に接続した場合の合成抵抗の抵抗値とを、Ｒと記載する。
上述したように、ＲｐとＶｐとＶｎとＶｐｎとの関係式は、式（１）によって示される。また、上述したように、ＲｐとＶｐとＶｎとＶｐｎとの関係式は、式（２）によって示される。
【０１０８】
取得部３１０は、ＶｐとＶｎとを取得する。また、取得部１１０は、取得したＶｐと、Ｖｎとに基づき、Ｖｐｎを算出する。したがって、式（１）及び式（２）のうち、Ｖｐ、Ｖｎ、Ｖｐｎ及びＲは既知の値である。
取得部３１０は、直流回路ＤＣＣの正極絶縁抵抗ＲＰの抵抗値であるＲｐを取得する。また、取得部３１０は、直流回路ＤＣＣの負極絶縁抵抗ＲＮの抵抗値であるＲｎを取得する。
【０１０９】
なお、上述では、制御部３００が取得部３１０のみを備える場合について説明したが、これに限られない。制御部３００は、収束判定部２１０を備えていてもよい。この場合、収束判定部２１０は、取得部３１０から入力された第４状態における正極低抵抗電位差ＬＲＶＰ及び第５状態における負極低抵抗電位差ＬＲＶＮの値の収束を判定し、判定した値を取得部３１０に出力してもよい。また、取得部３１０は、取得した第６状態における正極対負極電位差ＶＰＮと、収束判定部２１０が収束を判定した第４状態における正極低抵抗電位差ＬＲＶＰ及び第５状態における負極低抵抗電位差ＬＲＶＮとに基づいて、絶縁抵抗Ｒを算出してもよい。
【０１１０】
［第３実施形態のまとめ］
以上説明したように、本実施形態の絶縁抵抗測定装置３は、制御部３００、測定部１５０、開始情報入力部１６０、第１正極側開閉器ＳＰ１、第２正極側開閉器ＳＰ２、第１負極側開閉器ＳＮ１、第２負極側開閉器ＳＮ２、挿入抵抗ＲＩ及び挿入低抵抗ＬＲＩを備える。
制御部３００は、ＣＰＵを備えており、取得部３１０をその機能部として備える。
取得部３１０は、第１正極側開閉器ＳＰ１、第２正極側開閉器ＳＰ２、第１負極側開閉器ＳＮ１及び第２負極側開閉器ＳＮ２の開閉を制御する。
【０１１１】
測定部１５０は、正極ＢＳＰと大地Ｇとの間に挿入正極抵抗ＲＩＰと挿入正極低抵抗ＬＲＩＰとを並列に接続した状態での正極ＢＳＰと大地Ｇとの電位差である正極低抵抗電位差ＬＲＶＰを測定する。
また、測定部１５０は、負極ＢＳＮと大地Ｇとの間に挿入正極抵抗ＲＩＰと挿入負極低抵抗ＬＲＩＮとを並列に接続した状態での負極ＢＳＮと大地Ｇとの電位差である負極低抵抗電位差ＬＲＶＮを測定する。
取得部３１０には、第４状態、第５状態及び第６状態において測定部１５０が測定した正極低抵抗電位差ＬＲＶＰ及び負極低抵抗電位差ＬＲＶＮが入力される。
【０１１２】
取得部３１０は、測定部１５０が測定した測定結果に基づいて、直流回路ＤＣＣの絶縁抵抗Ｒの値を取得する。
具体的には、取得部３１０は、測定部１５０から絶縁抵抗Ｒに関する値である第４状態における正極低抵抗電位差ＬＲＶＰと、第５状態における負極低抵抗電位差ＬＲＶＮとを取得する。また、取得部３１０は、第６状態における正極低抵抗電位差ＬＲＶＰと、負極低抵抗電位差ＬＲＶＮとを取得し、正極低抵抗電位差ＬＲＶＰと、負極低抵抗電位差ＬＲＶＮとの和を算出する。取得部３１０は、正極低抵抗電位差ＬＲＶＰと、負極低抵抗電位差ＬＲＶＮとの和を絶縁抵抗Ｒに関する値である正極対負極電位差ＶＰＮとして取得する。また、取得部３１０は、取得した第４状態における正極低抵抗電位差ＬＲＶＰと、第５状態における負極低抵抗電位差ＬＲＶＮと、第６状態における正極対負極電位差ＶＰＮとに基づいて、直流回路ＤＣＣの絶縁抵抗Ｒである正極絶縁抵抗ＲＰ及び負極絶縁抵抗ＲＮの値を取得する。
【０１１３】
ここで、従来の技術では、直流回路の絶縁抵抗を測定する際に用いられる挿入抵抗の抵抗値が一意に設定される場合があった。直流回路の絶縁抵抗の値と、挿入抵抗の抵抗値とが乖離している場合には、直流回路の絶縁抵抗の値をより精度高く取得することが困難である場合があった。
【０１１４】
本実施形態の絶縁抵抗測定装置３は、正極抵抗電位差ＲＶＰ、負極抵抗電位差ＲＶＮ及び正極対負極電位差ＶＰＮに基づいて、絶縁抵抗Ｒを取得する。また、絶縁抵抗測定装置３は、取得した絶縁抵抗Ｒの値が挿入抵抗ＲＩの抵抗値と挿入低抵抗ＬＲＩの抵抗値とのうち、挿入低抵抗ＬＲＩの抵抗値に近い場合には、正極低抵抗電位差ＬＲＶＰ、負極低抵抗電位差ＬＲＶＮ及び正極対負極電位差ＶＰＮに基づいて、絶縁抵抗Ｒの値を取得する。
本実施形態の絶縁抵抗測定装置３によれば、挿入抵抗ＲＩ又は挿入低抵抗ＬＲＩのうち、直流回路ＤＣＣの絶縁抵抗Ｒの値と近い抵抗値である抵抗を用いることにより、直流回路ＤＣＣの絶縁抵抗Ｒの値をより精度高く取得することができる。
【０１１５】
［変形例１：絶縁抵抗に関する値の記憶について］
以下、図を参照して本発明の第３実施形態に係る変形例１について説明する。
図１１は、変形例１の絶縁抵抗測定装置４の構成の一例を示す図である。
第１実施形態、第２実施形態及び第３実施形態では、絶縁抵抗測定装置１が絶縁抵抗Ｒを取得する構成について説明した。
変形例１では、絶縁抵抗測定装置４が取得した絶縁抵抗Ｒに関する値と当該絶縁抵抗Ｒを取得した日時Ｄとを関連付けて記憶する点において、第１実施形態、第２実施形態及び第３実施形態とは異なる。
なお、上述した第１実施形態、第２実施形態及び第３実施形態と同様の構成及び動作については、同一の符号を付してその説明を省略する。
【０１１６】
図１１に示す通り、絶縁抵抗測定装置４は、制御部３００、測定部１５０、開始情報入力部１６０、第１正極側開閉器ＳＰ１、第２正極側開閉器ＳＰ２、第１負極側開閉器ＳＮ１、第２負極側開閉器ＳＮ２、挿入抵抗ＲＩ、挿入低抵抗ＬＲＩ及び記憶部４１０を備える。
記憶部４１０には、制御部３００が備える取得部３１０が取得した取得情報ＴＩが記憶される。取得情報ＴＩは、取得部３１０が取得した直流回路ＤＣＣの絶縁抵抗Ｒに関する値と、取得部３１０が直流回路ＤＣＣの絶縁抵抗Ｒに関する値を取得した日時Ｄとが対応付けられた情報である。
【０１１７】
直流回路ＤＣＣの絶縁抵抗Ｒに関する値は、取得部３１０が取得した第１状態における正極抵抗電位差ＲＶＰの電圧値、第２状態における負極抵抗電位差ＲＶＮの電圧値及び第
３状態における正極対負極電位差ＶＰＮの電圧値を含む。また、直流回路ＤＣＣの絶縁抵抗Ｒに関する値は、第１状態における正極抵抗電位差ＲＶＰ、第２状態における負極抵抗電位差ＲＶＮ及び第３状態における正極対負極電位差ＶＰＮに基づいて、取得部３１０が算出した絶縁抵抗Ｒの抵抗値を含む。
また、直流回路ＤＣＣの絶縁抵抗Ｒに関する値は、取得部３１０が取得した第４状態における正極低抵抗電位差ＬＲＶＰの電圧値及び第５状態における負極低抵抗電位差ＬＲＶＮの電圧値を含む。
【０１１８】
以下、図１２を参照して取得情報ＴＩの詳細について説明する。
図１２は、変形例１の取得情報ＴＩの一例を表す表を示す図である。
図１２に示す通り、取得情報ＴＩは、取得部３１０が取得した絶縁抵抗Ｒに関する値と、当該絶縁抵抗Ｒに関する値を取得した日時Ｄとが対応付けられた情報である。
本例では、取得部３１０が直流回路ＤＣＣの絶縁抵抗Ｒに関する値を１日毎に取得する。したがって、取得情報ＴＩには、１日毎の直流回路ＤＣＣの絶縁抵抗Ｒに関する値が含まれる。
【０１１９】
以上説明したように、変形例１の絶縁抵抗測定装置４は、制御部３００、測定部１５０、開始情報入力部１６０、記憶部４１０、第１正極側開閉器ＳＰ１、第２正極側開閉器ＳＰ２、第１負極側開閉器ＳＮ１、第２負極側開閉器ＳＮ２、挿入正極抵抗ＲＩＰ、挿入負極抵抗ＲＩＮ、挿入低抵抗ＬＲＩを備える。
記憶部４１０には、制御部１００が備える取得部３１０が取得した取得情報ＴＩが記憶される。取得情報ＴＩは、取得部３１０が取得した直流回路ＤＣＣの絶縁抵抗Ｒに関する値と、取得部３１０が直流回路ＤＣＣの絶縁抵抗Ｒに関する値を取得した日時Ｄとが対応付けられた情報である。記憶部４１０には、取得部３１０が取得した第１状態における正極抵抗電位差ＲＶＰを示す値と、第２状態における負極抵抗電位差ＲＶＮを示す値と、第３状態における正極対負極電位差ＶＰＮを示す値と、第４状態における正極低抵抗電位差ＬＲＶＰを示す値と、第５状態における負極低抵抗電位差ＬＲＶＮを示す値と、取得部３１０が第１状態における正極抵抗電位差ＲＶＰ、第２状態における負極抵抗電位差ＲＶＮ及び第３状態における正極対負極電位差ＶＰＮに基づいて算出し、取得した直流回路ＤＣＣの絶縁抵抗Ｒの抵抗値と、日時Ｄとが含まれる取得情報ＴＩが記憶される。
【０１２０】
本実施形態の絶縁抵抗測定装置４によれば、直流回路ＤＣＣの絶縁抵抗Ｒに関する値と、直流回路ＤＣＣの絶縁抵抗Ｒに関する値を取得した日時Ｄとが対応付けられた取得情報ＴＩを記憶することができる。つまり、本実施形態の絶縁抵抗測定装置４によれば、直流回路ＤＣＣの絶縁抵抗Ｒの劣化の程度を定量的及び経時的に観測することができる。
絶縁抵抗測定装置４を利用することにより、記憶部４１０に記憶される取得情報ＴＩをＰＣ（Ｐｅｒｓｏｎａｌ  Ｃｏｍｐｕｔｅｒ）等によって処理することができる。
絶縁抵抗測定装置４を利用することにより、直流回路ＤＣＣを保守管理する保守管理者は、記憶部４１０に記憶された取得情報ＴＩを参照し、複数日分の直流回路ＤＣＣの絶縁抵抗Ｒを一度に確認することができる。
また、絶縁抵抗測定装置４を利用することにより、直流回路ＤＣＣの保守管理者は、記憶部４１０に記憶された取得情報ＴＩを参照し、絶縁抵抗Ｒに変化があった日時Ｄを参照することができる。
【０１２１】
また、絶縁抵抗測定装置４がネットワークに接続されており、直流回路ＤＣＣの保守管理者が記憶部４１０に記憶される取得情報ＴＩを、ネットワークを介して確認する構成とすることも可能である。この場合、本実施形態の絶縁抵抗測定装置４によれば、直流回路ＤＣＣの絶縁抵抗Ｒに変化があったことを、ネットワークを介して確認することができる。また、この場合、絶縁抵抗測定装置４によれば、直流回路ＤＣＣが設置されている機器室等に保守管理者が巡回する手間を低減することができる。
【０１２２】
なお、上述では、取得情報ＴＩは、正極抵抗電位差ＲＶＰと、負極抵抗電位差ＲＶＮと、正極対負極電位差ＶＰＮと、正極低抵抗電位差ＬＲＶＰと、負極低抵抗電位差ＬＲＶＮと、絶縁抵抗Ｒとが日時Ｄに対応付けられた情報である場合について説明したが、これに限られない。
取得情報ＴＩは、正極抵抗電位差ＲＶＰと、負極抵抗電位差ＲＶＮと、正極対負極電位差ＶＰＮと、正極低抵抗電位差ＬＲＶＰと、負極低抵抗電位差ＬＲＶＮと、絶縁抵抗Ｒとのうち、少なくとも１つと、日時Ｄとが対応付けられた情報であってもよい。
【０１２３】
また、上述では、取得情報ＴＩが、取得部３１０が取得した直流回路ＤＣＣの絶縁抵抗Ｒに関する値と、取得部３１０が直流回路ＤＣＣの絶縁抵抗Ｒに関する値を取得した日時Ｄとが対応付けられた情報である場合について説明したが、これに限られない。
取得情報ＴＩは、取得部３１０が取得した直流回路ＤＣＣの絶縁抵抗Ｒに関する値と、取得部３１０が直流回路ＤＣＣの絶縁抵抗Ｒに関する値を取得した時刻とが対応付けられた情報であってもよい。
【０１２４】
また、上述では、取得情報ＴＩに含まれる日時Ｄが、取得部３１０が直流回路ＤＣＣの絶縁抵抗Ｒに関する値を取得した日時Ｄである場合について説明したが、これに限られない。
日時Ｄは、測定部１５０が正極抵抗電位差ＲＶＰと、負極抵抗電位差ＲＶＮと、正極対負極電位差ＶＰＮと、正極低抵抗電位差ＬＲＶＰと、負極低抵抗電位差ＬＲＶＮとのうち、いずれかを測定した日時であってもよい。
【０１２５】
また、上述では、取得情報ＴＩに含まれる直流回路ＤＣＣの絶縁抵抗Ｒの値が、第１状態における正極抵抗電位差ＲＶＰ、第２状態における負極抵抗電位差ＲＶＮ及び第３状態における正極対負極電位差ＶＰＮに基づいて取得部３１０が算出した値である場合について説明したが、これに限られない。取得情報ＴＩに含まれる直流回路ＤＣＣの絶縁抵抗Ｒの値は、第４状態における正極低抵抗電位差ＬＲＶＰを示す値と、第５状態における負極低抵抗電位差ＬＲＶＮを示す値と、第６状態における正極対負極電位差ＶＰＮを示す値とに基づいて、取得部３１０が算出した絶縁抵抗Ｒの値であってもよい。
【０１２６】
［変形例２：絶縁抵抗に関する値の表示について］
以下、図１３を参照して、第３実施形態及び変形例１に係る変形例２ついて説明する。
図１３は、変形例２の絶縁抵抗測定装置５の構成の一例を示す図である。
変形例２では、絶縁抵抗測定装置５が表示部ＤＰを備えており、絶縁抵抗Ｒに関する情報を取得し、表示部ＤＰに表示する点において、第３実施形態とは異なる。
なお、上述した第１実施形態、第２実施形態、第３実施系形態及び変形例１と同様の構成及び動作については、同一の符号を付してその説明を省略する。
【０１２７】
図１３に示す通り、絶縁抵抗測定装置５は、制御部５００、測定部１５０、開始情報入力部１６０、第１正極側開閉器ＳＰ１、第２正極側開閉器ＳＰ２、第１負極側開閉器ＳＮ１、第２負極側開閉器ＳＮ２、挿入抵抗ＲＩ及び挿入低抵抗ＬＲＩを備える。
また、図１３に示す通り、絶縁抵抗測定装置５には、表示部ＤＰが接続される。
制御部５００は、ＣＰＵを備えており、取得部３１０と表示制御部５１０とをその機能部として備える。取得部３１０は、取得した第１状態における正極抵抗電位差ＲＶＰの電圧値と、第２状態における負極抵抗電位差ＲＶＮの電圧値と、第３状態における正極対負極電位差ＶＰＮの電圧値と、第４状態における正極低抵抗電位差ＬＲＶＰの電圧値と、第５状態における負極低抵抗電位差ＬＲＶＮの電圧値とを表示制御部５１０に供給する。
また、取得部３１０は、第１状態における正極抵抗電位差ＲＶＰ、第２状態における負極抵抗電位差ＲＶＮ及び第３状態における正極対負極電位差ＶＰＮに基づいて、取得部３１０が算出し、取得した絶縁抵抗Ｒの値を表示制御部５１０に供給する。
【０１２８】
表示制御部５１０には、第１状態における正極抵抗電位差ＲＶＰを示す値と、第２状態における負極抵抗電位差ＲＶＮを示す値と、第３状態における正極対負極電位差ＶＰＮを示す値と、第４状態における正極低抵抗電位差ＬＲＶＰを示す値と、第５状態における負極低抵抗電位差ＬＲＶＮを示す値と、直流回路ＤＣＣの絶縁抵抗Ｒに関する値とが取得部３１０から入力される。
表示制御部５１０は、絶縁抵抗測定装置５に接続される表示部ＤＰに第１状態における正極抵抗電位差ＲＶＰを示す値と、第２状態における負極抵抗電位差ＲＶＮを示す値と、第３状態における正極対負極電位差ＶＰＮを示す値と、第４状態における正極低抵抗電位差ＬＲＶＰを示す値と、第５状態における負極低抵抗電位差ＬＲＶＮを示す値と、直流回路ＤＣＣの絶縁抵抗Ｒに関する値を表示する制御をする。表示部ＤＰは、例えば、液晶ディスプレイ（Ｌｉｑｕｉｄ  Ｃｒｙｓｔａｌ  Ｄｉｓｐｌａｙ）である。表示制御部５１０は、表示部ＤＰに直流回路ＤＣＣの絶縁抵抗Ｒに関する値を逐次表示する。
上述の構成により、変形例の絶縁抵抗測定装置５によれば、絶縁抵抗Ｒに関する値を表示部ＤＰに表示することができる。
【０１２９】
また、変形例の絶縁抵抗測定装置５では、絶縁抵抗Ｒに関する値を逐次表示する。これにより、変形例の絶縁抵抗測定装置５は、リアルタイムに絶縁抵抗Ｒに関する値を表示部ＤＰに表示することができる。
ここで、逐次表示するとは、例えば、直流回路ＤＣＣの絶縁抵抗Ｒの変化に要する時間に対して短い時間毎に表示を更新することであるが、これに限られず、表示を更新する時間間隔としては任意の間隔が用いられてもよい。
【０１３０】
なお、上述では、表示部ＤＰに表示される直流回路ＤＣＣの絶縁抵抗Ｒの値が、第１状態における正極抵抗電位差ＲＶＰ、第２状態における負極抵抗電位差ＲＶＮ及び第３状態における正極対負極電位差ＶＰＮに基づいて取得部３１０が算出し、取得した値である場合について説明したが、これに限られない。表示部ＤＰに表示される直流回路ＤＣＣの絶縁抵抗Ｒの値は、第４状態における正極低抵抗電位差ＬＲＶＰを示す値と、第５状態における負極低抵抗電位差ＬＲＶＮを示す値と、第６状態における正極対負極電位差ＶＰＮを示す値とに基づいて、取得部３１０が算出した絶縁抵抗Ｒの値であってもよい。
【０１３１】
なお、上述では、絶縁抵抗測定装置５が表示部ＤＰを備える場合について説明したが、これに限られない。絶縁抵抗測定装置５は、記憶部４１０を備えていてもよく、取得部３１０が取得した取得情報ＴＩを記憶部４１０に記憶してもよい。
【０１３２】
なお、上述では、絶縁抵抗測定装置１、絶縁抵抗測定装置２、絶縁抵抗測定装置３、絶縁抵抗測定装置４及び絶縁抵抗測定装置５が開始情報入力部１６０を備える場合について説明したが、これに限られない。絶縁抵抗測定装置１、絶縁抵抗測定装置２、絶縁抵抗測定装置３、絶縁抵抗測定装置４及び絶縁抵抗測定装置５は、開始情報入力部１６０を備えていなくてもよい。この場合、取得部１１０及び取得部３１０は、処理を自動的に開始してもよい。
【０１３３】
なお、上記の各実施形態における絶縁抵抗測定装置１、絶縁抵抗測定装置２、絶縁抵抗測定装置３、絶縁抵抗測定装置４及び絶縁抵抗測定装置５が備える各部は、専用のハードウェアにより実現されるものであってもよく、また、メモリおよびマイクロプロセッサにより実現させるものであってもよい。
【０１３４】
なお、絶縁抵抗測定装置１、絶縁抵抗測定装置２、絶縁抵抗測定装置３、絶縁抵抗測定装置４及び絶縁抵抗測定装置５が備える各部は、メモリおよびＣＰＵ（中央演算装置）により構成され、絶縁抵抗測定装置１、絶縁抵抗測定装置２、絶縁抵抗測定装置３、絶縁抵抗測定装置４及び絶縁抵抗測定装置５が備える各部の機能を実現するためのプログラムをメモリにロードして実行することによりその機能を実現させるものであってもよい。
【０１３５】
また、絶縁抵抗測定装置１、絶縁抵抗測定装置２、絶縁抵抗測定装置３、絶縁抵抗測定装置４及び絶縁抵抗測定装置５が備える各部の機能を実現するためのプログラムをコンピュータ読み取り可能な記録媒体に記録して、この記録媒体に記録されたプログラムをコンピュータシステムに読み込ませ、実行することにより処理を行ってもよい。なお、ここでいう「コンピュータシステム」は、ＯＳや周辺機器等のハードウェアを含むものとする。
【０１３６】
また、「コンピュータシステム」は、ＷＷＷシステムを利用している場合であれば、ホームページ提供環境（あるいは表示環境）も含むものとする。
また、「コンピュータ読み取り可能な記録媒体」は、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」は、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであってもよく、さらに前述した機能をコンピュータシステムにすでに記録されているプログラムとの組み合わせで実現できるものであってもよい。
【０１３７】
以上、本発明の実施形態を、図面を参照して詳述してきたが、具体的な構成はこの実施形態に限られるものではなく、本発明の趣旨を逸脱しない範囲で適宜変更を加えることができる。上述した各実施形態に記載の構成を組み合わせてもよい。
【符号の説明】
【０１３８】
１、２、３、４、５…絶縁抵抗測定装置、１００、２００、３００、５００…制御部、１１０、３１０…取得部、１５０…測定部、１６０…開始情報入力部、２１０…収束判定部、４１０…記憶部、５１０…表示制御部、ＤＣＣ…直流回路、Ｒ…絶縁抵抗、ＲＰ…正極絶縁抵抗、ＲＮ…負極絶縁抵抗、ＲＶＮ…負極抵抗電位差、ＲＶＰ…正極抵抗電位差、ＬＲＶＮ…負極低抵抗電位差、ＬＲＶＰ…正極低抵抗電位差、ＶＰＮ…正極対負極電位差、ＶＮ…負極対大地電位差、ＶＰ…正極対大地電位差、ＢＣ…交直変換器、ＢＳ…バス、ＢＳＮ…負極、ＢＳＰ…正極、６４Ｄ…直流地絡故障継電器、Ｒｄ１、Ｒｄ２…分圧抵抗、Ｒｅ…接地抵抗、ＣＰ…中性点、ＢＴＴ…蓄電池、ＲＩ…挿入抵抗、ＲＩＮ…挿入負極抵抗、ＲＩＰ…挿入正極抵抗、ＬＲＩ…挿入低抵抗、ＬＲＩＮ…挿入負極低抵抗、ＬＲＩＰ…挿入正極低抵抗、Ｃ、Ｃ１、Ｃ２、Ｃｎ…回路、ＪＢ、ＪＢＣ１Ｎ、ＪＢＣ１Ｐ、ＪＢＣ２Ｎ、ＪＢＣ２Ｐ、ＪＢＣｎＮ、ＪＢＣｎＰ…開閉器、ＲＰＢＳ…バス正極絶縁抵抗、ＲＮＢＳ…バス負極絶縁抵抗、ＲＰＣ、ＲＰＣ１、ＲＰＣ２、ＲＰＣｎ…回路正極絶縁抵抗、ＲＮＣ、ＲＮＣ１、ＲＮＣ２、ＲＮＣｎ…回路負極絶縁抵抗、ＳＰ１…第１正極側開閉器、ＳＰ２…第２正極側開閉器、ＳＮ１…第１負極側開閉器、ＳＮ２…第２負極側開閉器、ＴＢ…端子台、ＴＰ…正極端子、ＴＥ…アース端子、ＴＮ…負極端子、ＴＴ…テストターミナル、ＴＰＧ…テストプラグ、ＴＩ…取得情報、ＤＰ…表示部
【図１】
2017173263.tif 000005
【図２】
2017173263.tif 000006
【図３】
2017173263.tif 000007
【図４】
2017173263.tif 000008
【図５】
2017173263.tif 000009
【図６】
2017173263.tif 000010
【図７】
2017173263.tif 000011
【図８】
2017173263.tif 000012
【図９】
2017173263.tif 000013
【図１０】
2017173263.tif 000014
【図１１】
2017173263.tif 000015
【図１２】
2017173263.tif 000016
【図１３】
2017173263.tif 000017